(57)【要約】本願は、画像処理方法及び装置、電子機器並びに記憶媒体に関する。前記方法は、被処理画像を検出して、被処理画像における目標対象の輪郭線及び複数の領域を決定するステップと、複数の領域のうちの目標領域に対して、設定パラメータに基づいて、目標画素点の第１の調節パラメータを決定するステップと、目標領域に対して、第１の調節パラメータに基づいて、第２の画素点の第２の調節パラメータを決定するステップと、第１の調節パラメータ及び第２の調節パラメータに基づいて、被処理画像に対して調節処理を行って、調節後の画像を取得するステップと、を含む。本願の実施例は、目標領域を調節する時に背景領域を適応的に調節することを実現でき、それによって、被処理画像における目標対象を調節する時に背景領域に与える影響が小さく、輪郭線内側の領域を調節する時の背景領域の奇形の発生が回避される【選択図】図１
2021503663.tif 000002
【特許請求の範囲】
【請求項１】
被処理画像を検出して、前記被処理画像における目標対象の輪郭線及び前記目標対象の複数の領域を決定するステップと、
前記複数の領域のうちの目標領域に対して、設定パラメータに基づいて、前記目標領域における複数の目標画素点の第１の調節パラメータを決定するステップであって、前記複数の目標画素点が、前記輪郭線にある第１の画素点及び前記輪郭線内側にある第３の画素点を含むステップと、
前記目標領域に対して、前記第１の調節パラメータに基づいて、前記輪郭線外側における第２の画素点の第２の調節パラメータを決定するステップと、
前記第１の調節パラメータ及び前記第２の調節パラメータに基づいて、前記被処理画像に対して調節処理を行って、調節後の画像を取得するステップと、を含むことを特徴とする画像処理方法。
【請求項２】
前記第１の調節パラメータは、前記第１の画素点の第１の調節方向及び第１の調節幅、前記第３の画素点の第３の調節方向及び第３の調節幅を含み、前記第２の調節パラメータは、前記第２の画素点の第２の調節方向及び第２の調節幅を含むことを特徴とする請求項１に記載の方法。
【請求項３】
被処理画像を検出して、前記被処理画像における目標対象の目標点を取得するステップであって、前記目標点が、前記輪郭線内側又は前記輪郭線にあり、前記第１の画素点に対応するステップを更に含み、
前記第１の画素点の第１の調節方向は、前記目標点に近接する方向、又は離れる方向を含むことを特徴とする請求項２に記載の方法。
【請求項４】
前記複数の領域のうちの目標領域に対して、設定パラメータに基づいて、前記目標領域における複数の目標画素点の第１の調節パラメータを決定するステップは、
前記設定パラメータ及び前記目標点に基づいて、前記第１の画素点の第１の調節方向及び第１の調節幅を決定するステップと、
前記第１の調節方向及び第１の調節幅に基づいて、各第１の画素点の周辺の事前設定範囲内の各第３の画素点の第３の調節方向及び第３の調節幅を決定するステップと、を含むことを特徴とする請求項２又は３に記載の方法。
【請求項５】
前記複数の領域のうちの目標領域に対して、設定パラメータに基づいて、前記目標領域における複数の目標画素点の第１の調節パラメータを決定するステップは、
前記設定パラメータ及び前記目標点に基づいて、各第１の画素点の第１の調節方向及び第１の調節幅を決定するステップと、
第３の画素点に最も近い第１の画素点の第１の調節方向及び第１の調節幅に基づいて、前記第３の画素点の第３の調節方向及び第３の調節幅を決定するステップと、を含むことを特徴とする請求項２−４のいずれか一項に記載の方法。
【請求項６】
前記目標領域に対して、前記第１の調節パラメータに基づいて、前記輪郭線外側における第２の画素点の第２の調節パラメータを決定するステップは、
前記第１の画素点の第１の調節方向及び第１の調節幅に基づいて、各第１の画素点の周辺の事前設定範囲内の各第２の画素点の第２の調節方向及び第２の調節幅を決定するステップを含むことを特徴とする請求項２−５のいずれか一項に記載の方法。
【請求項７】
前記目標領域に対して、前記第１の調節パラメータに基づいて、前記輪郭線外側における第２の画素点の第２の調節パラメータを決定するステップは、
第２の画素点に最も近い第１の画素点の第１の調節方向及び第１の調節幅に基づいて、前記第２の画素点の第２の調節方向及び第２の調節幅を決定するステップを含むことを特徴とする請求項２−６のいずれか一項に記載の方法。
【請求項８】
前記第２の画素点の第２の調節幅は、前記第１の調節幅より小さく、前記第２の画素点と前記第１の画素点との間の距離である第１の基準距離と負の相関であることを特徴とする請求項２−７のいずれか一項に記載の方法。
【請求項９】
前記第３の画素点の第３の調節幅は、前記第１の調節幅より小さく、前記第３の画素点と前記第１の画素点との間の距離である第２の基準距離と負の相関であることを特徴とする請求項２−８のいずれか一項に記載の方法。
【請求項１０】
前記第２の画素点と前記第１の画素点との間の距離が前記第３の画素点と前記第１の画素点との間の距離と等しい場合、前記第２の画素点の第２の調節幅が前記第３の画素点の第３の調節幅より小さいことを特徴とする請求項２−９のいずれか一項に記載の方法。
【請求項１１】
前記複数の領域のうちの目標領域に対して、設定パラメータに基づいて、前記目標領域における複数の目標画素点の第１の調節パラメータを決定するステップは、
前記第１の調節方向が前記目標点に近接する方向である場合、前記第３の調節方向を前記目標点に近接する方向と決定するステップ、
前記第１の調節方向が前記目標点から離れる方向である場合、前記第３の調節方向を前記目標点から離れる方向と決定するステップの一方を含むことを特徴とする請求項２−１０のいずれか一項に記載の方法。
【請求項１２】
前記目標領域に対して、前記第１の調節パラメータに基づいて、前記輪郭線外側における第２の画素点の第２の調節パラメータを決定するステップは、
前記第１の調節方向が前記目標点に近接する方向である場合、前記第２の調節方向を前記目標点に近接する方向と決定するステップ、
前記第１の調節方向が前記目標点から離れる方向である場合、前記第２の調節方向を前記目標点から離れる方向と決定するステップの一方を含むことを特徴とする請求項２−１１のいずれか一項に記載の方法。
【請求項１３】
被処理画像を検出して、前記被処理画像における目標対象の輪郭線及び前記目標対象の複数の領域を決定するための検出モジュールと、
前記複数の領域のうちの目標領域に対して、設定パラメータに基づいて、前記目標領域における複数の目標画素点の第１の調節パラメータを決定するための第１の調節パラメータ決定モジュールであって、前記複数の目標画素点が、前記輪郭線にある第１の画素点及び前記輪郭線内側にある第３の画素点を含む第１の調節パラメータ決定モジュールと、
前記目標領域に対して、前記第１の調節パラメータに基づいて、前記輪郭線外側における第２の画素点の第２の調節パラメータを決定するための第２の調節パラメータ決定モジュールと、
前記第１の調節パラメータ及び前記第２の調節パラメータに基づいて、前記被処理画像に対して調節処理を行って、調節後の画像を取得するための画像処理モジュールと、を含むことを特徴とする画像処理装置。
【請求項１４】
前記第１の調節パラメータは、前記第１の画素点の第１の調節方向及び第１の調節幅、前記第３の画素点の第３の調節方向及び第３の調節幅を含み、前記第２の調節パラメータは、前記第２の画素点の第２の調節方向及び第２の調節幅を含むことを特徴とする請求項１３に記載の装置。
【請求項１５】
被処理画像を検出して、前記被処理画像における目標対象の目標点を取得するための目標点取得モジュールであって、前記目標点が、前記輪郭線内側又は前記輪郭線にあり、前記第１の画素点に対応する目標点取得モジュールを更に含み、
前記第１の画素点の第１の調節方向は、前記目標点に近接する方向、又は離れる方向を含むことを特徴とする請求項１４に記載の装置。
【請求項１６】
前記第１の調節パラメータ決定モジュールは、
前記設定パラメータ及び前記目標点に基づいて、前記第１の画素点の第１の調節方向及び第１の調節幅を決定するための第１の決定サブモジュールと、
前記第１の調節方向及び第１の調節幅に基づいて、各第１の画素点の周辺の事前設定範囲内の各第３の画素点の第３の調節方向及び第３の調節幅を決定するための第２の決定サブモジュールと、を含むことを特徴とする請求項１４又は１５に記載の装置。
【請求項１７】
前記第１の調節パラメータ決定モジュールは、
前記設定パラメータ及び前記目標点に基づいて、各第１の画素点の第１の調節方向及び第１の調節幅を決定するための第３の決定サブモジュールと、
第３の画素点に最も近い第１の画素点の第１の調節方向及び第１の調節幅に基づいて、前記第３の画素点の第３の調節方向及び第３の調節幅を決定するための第４の決定サブモジュールと、を含むことを特徴とする請求項１４−１６のいずれか一項に記載の装置。
【請求項１８】
第２の調節パラメータ決定モジュールは、
前記第１の画素点の第１の調節方向及び第１の調節幅に基づいて、各第１の画素点の周辺の事前設定範囲内の各第２の画素点の第２の調節方向及び第２の調節幅を決定するための第５の決定サブモジュールを含むことを特徴とする請求項１４−１７のいずれか一項に記載の装置。
【請求項１９】
第２の調節パラメータ決定モジュールは、
第２の画素点に最も近い第１の画素点の第１の調節方向及び第１の調節幅に基づいて、前記第２の画素点の第２の調節方向及び第２の調節幅を決定するための第６の決定サブモジュールを含むことを特徴とする請求項１４−１８のいずれか一項に記載の装置。
【請求項２０】
前記第２の画素点の第２の調節幅は、前記第１の調節幅より小さく、前記第２の画素点と前記第１の画素点との間の距離である第１の基準距離と負の相関であることを特徴とする請求項１４−１９のいずれか一項に記載の装置。
【請求項２１】
前記第３の画素点の第３の調節幅は、前記第１の調節幅より小さく、前記第３の画素点と前記第１の画素点との間の距離である第２の基準距離と負の相関であることを特徴とする請求項１４−２０のいずれか一項に記載の装置。
【請求項２２】
前記第２の画素点と前記第１の画素点との間の距離が前記第３の画素点と前記第１の画素点との間の距離と等しい場合、前記第２の画素点の第２の調節幅が前記第３の画素点の第３の調節幅より小さいことを特徴とする請求項１４−２１のいずれか一項に記載の装置。
【請求項２３】
第１の調節パラメータ決定モジュールは、
前記第１の調節方向が前記目標点に近接する方向である場合、前記第３の調節方向を前記目標点に近接する方向と決定するための第１の方向決定サブモジュール、
前記第１の調節方向が前記目標点から離れる方向である場合、前記第３の調節方向を前記目標点から離れる方向と決定するための第２の方向決定サブモジュールの一方を含むことを特徴とする請求項１４−２２のいずれか一項に記載の装置。
【請求項２４】
第２の調節パラメータ決定モジュールは、
前記第１の調節方向が前記目標点に近接する方向である場合、前記第２の調節方向を前記目標点に近接する方向と決定するための第３の方向決定サブモジュール、
前記第１の調節方向が前記目標点から離れる方向である場合、前記第２の調節方向を前記目標点から離れる方向と決定するための第４の方向決定サブモジュールの一方を含むことを特徴とする請求項１４−２３のいずれか一項に記載の装置。
【請求項２５】
請求項１−１２のいずれか一項に記載の方法を実行するように構成されるプロセッサと、
プロセッサ実行可能コマンドを記憶するためのメモリと、を含むことを特徴とする電子機器。
【請求項２６】
コンピュータプログラムコマンドが記憶されているコンピュータ可読記憶媒体であって、前記コンピュータプログラムコマンドがプロセッサにより実行されると、請求項１−１２のいずれか一項に記載の方法を実現することを特徴とするコンピュータ可読記憶媒体。
【発明の詳細な説明】
【技術分野】
【０００１】
（関連出願の相互参照）
本願は、２０１８年５月３１日に中国特許局に提出された、出願番号が２０１８１０５５２９９３．１であり、出願の名称が「画像処理方法及び装置、電子機器並びに記憶媒体」である中国特許出願の優先権を主張し、その開示の全てが参照によって本願に組み込まれる。
【０００２】
本願は、コンピュータ技術に関し、特に、画像処理方法及び装置、電子機器並びに記憶媒体に関する。
【背景技術】
【０００３】
画像美化とは、コンピュータを用いて画像情報を加工して人の視覚心理又は使用上の要求を満足する行為である。一般的には、画像における人物を美しくして、痩せる等の効果を奏させる。関連技術において、画像における調節したい領域を選定して、調節パラメータを設定して、調節したい領域を調節して、痩せる等の効果を奏することができる。しかしながら、関連技術の調節手法を用いれば、画像の各領域に違和感が発生して奇形の画像を生成することがある。
【発明の概要】
【課題を解決するための手段】
【０００４】
本願は、画像処理方法及び装置、電子機器並びに記憶媒体を提供する。
【０００５】
本願の一態様によれば、
被処理画像を検出して、前記被処理画像における目標対象の輪郭線及び前記目標対象の複数の領域を決定するステップと、
前記複数の領域のうちの目標領域に対して、設定パラメータに基づいて、前記目標領域における複数の目標画素点の第１の調節パラメータを決定するステップであって、前記複数の目標画素点が、前記輪郭線にある第１の画素点及び前記輪郭線内側にある第３の画素点を含むステップと、
前記目標領域に対して、前記第１の調節パラメータに基づいて、前記輪郭線外側における第２の画素点の第２の調節パラメータを決定するステップと、
前記第１の調節パラメータ及び前記第２の調節パラメータに基づいて、前記被処理画像に対して調節処理を行って、調節後の画像を取得するステップと、を含む画像処理方法を提供する。
【０００６】
可能な一実施形態では、前記第１の調節パラメータは、前記第１の画素点の第１の調節方向及び第１の調節幅、前記第３の画素点の第３の調節方向及び第３の調節幅を含み、前記第２の調節パラメータは、前記第２の画素点の第２の調節方向及び第２の調節幅を含む。
【０００７】
可能な一実施形態では、前記方法は、
被処理画像を検出して、前記被処理画像における目標対象の目標点を取得するステップであって、前記目標点が、前記輪郭線内側又は前記輪郭線にあり、前記第１の画素点に対応するステップを更に含み、
前記第１の画素点の第１の調節方向は、前記目標点に近接する方向、又は離れる方向を含む。
【０００８】
可能な一実施形態では、前記複数の領域のうちの目標領域に対して、設定パラメータに基づいて、前記目標領域における複数の目標画素点の第１の調節パラメータを決定するステップは、
前記設定パラメータ及び前記目標点に基づいて、前記第１の画素点の第１の調節方向及び第１の調節幅を決定するステップと、
前記第１の調節方向及び第１の調節幅に基づいて、各第１の画素点の周辺の事前設定範囲内の各第３の画素点の第３の調節方向及び第３の調節幅を決定するステップと、を含む。
【０００９】
可能な一実施形態では、前記複数の領域のうちの目標領域に対して、設定パラメータに基づいて、前記目標領域における複数の目標画素点の第１の調節パラメータを決定するステップは、
前記設定パラメータ及び前記目標点に基づいて、各第１の画素点の第１の調節方向及び第１の調節幅を決定するステップと、
第３の画素点に最も近い第１の画素点の第１の調節方向及び第１の調節幅に基づいて、前記第３の画素点の第３の調節方向及び第３の調節幅を決定するステップと、を含む。
【００１０】
可能な一実施形態では、前記目標領域に対して、前記第１の調節パラメータに基づいて、前記輪郭線外側における第２の画素点の第２の調節パラメータを決定するステップは、
前記第１の画素点の第１の調節方向及び第１の調節幅に基づいて、各第１の画素点の周辺の事前設定範囲内の各第２の画素点の第２の調節方向及び第２の調節幅を決定するステップを含む。
【００１１】
可能な一実施形態では、前記目標領域に対して、前記第１の調節パラメータに基づいて、前記輪郭線外側における第２の画素点の第２の調節パラメータを決定するステップは、
第２の画素点に最も近い第１の画素点の第１の調節方向及び第１の調節幅に基づいて、前記第２の画素点の第２の調節方向及び第２の調節幅を決定するステップを含む。
【００１２】
可能な一実施形態では、前記第２の画素点の第２の調節幅は、前記第１の調節幅より小さく、前記第２の画素点と前記第１の画素点との間の距離である第１の基準距離と負の相関である。
【００１３】
可能な一実施形態では、前記第３の画素点の第３の調節幅は、前記第１の調節幅より小さく、前記第３の画素点と前記第１の画素点との間の距離である第２の基準距離と負の相関である。
【００１４】
可能な一実施形態では、前記第２の画素点と前記第１の画素点との間の距離が前記第３の画素点と前記第１の画素点との間の距離と等しい場合、前記第２の画素点の第２の調節幅が前記第３の画素点の第３の調節幅より小さい。
【００１５】
可能な一実施形態では、前記複数の領域のうちの目標領域に対して、設定パラメータに基づいて、前記目標領域における複数の目標画素点の第１の調節パラメータを決定するステップは、
前記第１の調節方向が前記目標点に近接する方向である場合、前記第３の調節方向を前記目標点に近接する方向と決定するステップ、
前記第１の調節方向が前記目標点から離れる方向である場合、前記第３の調節方向を前記目標点から離れる方向と決定するステップの一方を含む。
【００１６】
可能な一実施形態では、前記目標領域に対して、前記第１の調節パラメータに基づいて、前記輪郭線外側における第２の画素点の第２の調節パラメータを決定するステップは、
前記第１の調節方向が前記目標点に近接する方向である場合、前記第２の調節方向を前記目標点に近接する方向と決定するステップ、
前記第１の調節方向が前記目標点から離れる方向である場合、前記第２の調節方向を前記目標点から離れる方向と決定するステップの一方を含む。
【００１７】
本願の一態様によれば、
被処理画像を検出して、前記被処理画像における目標対象の輪郭線及び前記目標対象の複数の領域を決定するための検出モジュールと、
前記複数の領域のうちの目標領域に対して、設定パラメータに基づいて、前記目標領域における複数の目標画素点の第１の調節パラメータを決定するための第１の調節パラメータ決定モジュールであって、前記複数の目標画素点が、前記輪郭線にある第１の画素点及び前記輪郭線内側にある第３の画素点を含む第１の調節パラメータ決定モジュールと、
前記目標領域に対して、前記第１の調節パラメータに基づいて、前記輪郭線外側における第２の画素点の第２の調節パラメータを決定するための第２の調節パラメータ決定モジュールと、
前記第１の調節パラメータ及び前記第２の調節パラメータに基づいて、前記被処理画像に対して調節処理を行って、調節後の画像を取得するための画像処理モジュールと、を含む画像処理装置を提供する。
【００１８】
可能な一実施形態では、前記第１の調節パラメータは、前記第１の画素点の第１の調節方向及び第１の調節幅、前記第３の画素点の第３の調節方向及び第３の調節幅を含み、前記第２の調節パラメータは、前記第２の画素点の第２の調節方向及び第２の調節幅を含む。
【００１９】
可能な一実施形態では、前記装置は、
被処理画像を検出して、前記被処理画像における目標対象の目標点を取得するための目標点取得モジュールであって、前記目標点が、前記輪郭線内側又は前記輪郭線にあり、前記第１の画素点に対応する目標点取得モジュールを更に含み、
前記第１の画素点の第１の調節方向は、前記目標点に近接する方向、又は離れる方向を含む。
【００２０】
可能な一実施形態では、前記第１の調節パラメータ決定モジュールは、
前記設定パラメータ及び前記目標点に基づいて、前記第１の画素点の第１の調節方向及び第１の調節幅を決定するための第１の決定サブモジュールと、
前記第１の調節方向及び第１の調節幅に基づいて、各第１の画素点の周辺の事前設定範囲内の各第３の画素点の第３の調節方向及び第３の調節幅を決定するための第２の決定サブモジュールと、を含む。
【００２１】
可能な一実施形態では、前記第１の調節パラメータ決定モジュールは、
前記設定パラメータ及び前記目標点に基づいて、各第１の画素点の第１の調節方向及び第１の調節幅を決定するための第３の決定サブモジュールと、
第３の画素点に最も近い第１の画素点の第１の調節方向及び第１の調節幅に基づいて、前記第３の画素点の第３の調節方向及び第３の調節幅を決定するための第４の決定サブモジュールと、を含む。
【００２２】
可能な一実施形態では、第２の調節パラメータ決定モジュールは、
前記第１の画素点の第１の調節方向及び第１の調節幅に基づいて、各第１の画素点の周辺の事前設定範囲内の各第２の画素点の第２の調節方向及び第２の調節幅を決定するための第５の決定サブモジュールを含む。
【００２３】
可能な一実施形態では、第２の調節パラメータ決定モジュールは、
第２の画素点に最も近い第１の画素点の第１の調節方向及び第１の調節幅に基づいて、前記第２の画素点の第２の調節方向及び第２の調節幅を決定するための第６の決定サブモジュールを含む。
【００２４】
可能な一実施形態では、前記第２の画素点の第２の調節幅は、前記第１の調節幅より小さく、前記第２の画素点と前記第１の画素点との間の距離である第１の基準距離と負の相関である。
【００２５】
可能な一実施形態では、前記第３の画素点の第３の調節幅は、前記第１の調節幅より小さく、前記第３の画素点と前記第１の画素点との間の距離である第２の基準距離と負の相関である。
【００２６】
可能な一実施形態では、前記第２の画素点と前記第１の画素点との間の距離が前記第３の画素点と前記第１の画素点との間の距離と等しい場合、前記第２の画素点の第２の調節幅が前記第３の画素点の第３の調節幅より小さい。
【００２７】
可能な一実施形態では、第１の調節パラメータ決定モジュールは、
前記第１の調節方向が前記目標点に近接する方向である場合、前記第３の調節方向を前記目標点に近接する方向と決定するための第１の方向決定サブモジュール、
前記第１の調節方向が前記目標点から離れる方向である場合、前記第３の調節方向を前記目標点から離れる方向と決定するための第２の方向決定サブモジュールの一方を含む。
【００２８】
可能な一実施形態では、第２の調節パラメータ決定モジュールは、
前記第１の調節方向が前記目標点に近接する方向である場合、前記第２の調節方向を前記目標点に近接する方向と決定するための第３の方向決定サブモジュール、
前記第１の調節方向が前記目標点から離れる方向である場合、前記第２の調節方向を前記目標点から離れる方向と決定するための第４の方向決定サブモジュールの一方を含む。
【００２９】
本願の一態様によれば、
上記画像処理方法を実行するように構成されるプロセッサと、
プロセッサ実行可能コマンドを記憶するためのメモリと、を含む電子機器を提供する。
【００３０】
本願の一態様によれば、コンピュータプログラムコマンドが記憶されているコンピュータ可読記憶媒体であって、前記コンピュータプログラムコマンドがプロセッサにより実行されると、上記画像処理方法を実現するコンピュータ可読記憶媒体を提供する。
【００３１】
本願の実施例に係る画像処理方法及び装置、電子機器並びに記憶媒体は、選定された目標領域の目標画素点の第１の調節パラメータによって、目標領域の輪郭線外側の背景領域における第２の画素点の第２の調節パラメータを決定し、第１の調節パラメータ及び第２の調節パラメータによって被処理画像を調節し、それによって目標領域を調節する時に背景領域を適応的に調節することができ、被処理画像における目標対象を調節する時に背景領域に与える影響が小さく、輪郭線内側の領域を調節する時の背景領域の奇形の発生が回避され、画像の背景領域は、変形が小さく、調節後の輪郭線内側の領域との繋がりがより自然になる。
【００３２】
以下、図面を参照しながら例示的な実施例について詳細に説明することにより、本願の他の特徴及び態様は明瞭になる。
【図面の簡単な説明】
【００３３】
明細書に含まれ且つ明細書の一部を構成する図面は明細書と共に本願の例示的な実施例、特徴及び態様を示し、更に本願の原理を解釈するために用いられる。
【図１】本願の実施例に係る画像処理方法のフローチャートを示す。
【図２】本願の実施例に係る画像処理方法のフローチャートを示す。
【図３】本願の実施例に係る画像処理方法のステップＳ１２のフローチャートを示す。
【図４】本願の実施例に係る画像処理方法のステップＳ１２のフローチャートを示す。
【図５】本願の実施例に係る画像処理方法のフローチャートを示す。
【図６】本願の実施例に係る画像処理方法のフローチャートを示す。
【図７】本願の実施例に係る調節幅と距離の関係の模式図を示す。
【図８】本願の実施例に係る画像処理方法のフローチャートを示す。
【図９】本願の実施例に係る画像処理方法のフローチャートを示す。
【図１０】本願の実施例に係る画像処理方法の適用の模式図を示す。
【図１１】本願の実施例に係る画像処理装置のブロック図を示す。
【図１２】本願の実施例に係る画像処理装置のブロック図を示す。
【図１３】例示的な一実施例により示された電子機器のブロック図である。
【図１４】例示的な一実施例により示された電子機器のブロック図である。
【発明を実施するための形態】
【００３４】
以下に図面を参照しながら本願の様々な例示的実施例、特徴および態様を詳細に説明する。図面における同じ符号は同じまたは類似する機能の要素を表す。図面において実施例の様々な態様を示したが、特に断らない限り、比例に従って図面を作る必要がない。
【００３５】
ここの用語「例示的」とは、「例、実施例として用いられることまたは説明的なもの」を意味する。ここで「例示的」に説明したいかなる実施例も他の実施例より優れたものと理解すべきではない。
【００３６】
また、本願の実施例をより効果的に説明するために、以下の具体的な実施形態において様々な具体的詳細を示す。当業者であれば、何らかの具体的詳細がなくなるにも関わらず、本願は同様に実施できるということを理解すべきである。いくつかの実施例では、本願の趣旨を強調するよう、当業者に既知の方法、手段、要素および回路に対する詳細な説明を省略する。
【００３７】
図１は本願の実施例に係る画像処理方法のフローチャートを示す。図１に示すように、前記方法は、
被処理画像を検出して、前記被処理画像における目標対象の輪郭線及び前記目標対象の複数の領域を決定するステップＳ１１と、
前記複数の領域のうちの目標領域に対して、設定パラメータに基づいて、前記目標領域における複数の目標画素点の第１の調節パラメータを決定するステップＳ１２であって、前記複数の目標画素点が、前記輪郭線にある第１の画素点及び前記輪郭線内側にある第３の画素点を含むステップＳ１２と、
前記目標領域に対して、前記第１の調節パラメータに基づいて、前記輪郭線外側における第２の画素点の第２の調節パラメータを決定するステップＳ１３と、
前記第１の調節パラメータ及び前記第２の調節パラメータに基づいて、前記被処理画像に対して調節処理を行って、調節後の画像を取得するステップＳ１４と、を含んでもよい。
【００３８】
本願の実施例に係る画像処理方法は、選定された目標領域の目標画素点の第１の調節パラメータによって、目標領域の輪郭線外側の背景領域における第２の画素点の第２の調節パラメータを決定し、第１の調節パラメータ及び第２の調節パラメータによって被処理画像を調節し、それによって目標領域を調節する時に背景領域を適応的に調節することができ、被処理画像における目標対象を調節する時に背景領域に与える影響が小さく、輪郭線内側の領域を調節する時の背景領域の奇形の発生が回避され、画像の背景領域は、変形が小さく、調節後の輪郭線内側の領域との繋がりがより自然になる。
【００３９】
可能な一実施形態では、前記画像処理方法は、ユーザ側装置（Ｕｓｅｒ  Ｅｑｕｉｐｍｅｎｔ、ＵＥ）、携帯機器、ユーザ端末、端末、セル方式の携帯無線電話、無線電話、携帯情報端末（Ｐｅｒｓｏｎａｌ  Ｄｉｇｉｔａｌ  Ａｓｓｉｓｔａｎｔ、ＰＤＡ）、携帯型デバイス、計算装置、車載装置、ウエアラブル装置等の端末機器により実行してもよく、前記方法はプロセッサによりメモリに記憶されたコンピュータ読取可能コマンドを呼び出すことで実現してもよい。又は、端末機器又は画像取得装置（例えば、カメラ等）によって被処理画像を取得し、被処理画像をサーバに送信して、サーバによって前記方法を実行してもよい。
【００４０】
可能な一実施形態では、ステップＳ１１において、前記被処理画像は写真又はビデオストリーム中のビデオフレーム等を含んでもよい。前記目標対象は画像における人物、動物又は物体等の対象を含んでもよい。深層学習に基づく画像認識方法又はエッジ検出等の方法によって目標対象の輪郭線を認識し、目標対象の形状等の属性により目標対象の複数の領域を決定することができる。例えば、前記目標対象が人物であり、被処理画像を検出して被処理画像における人物の輪郭線を認識し、且つ前記人物の頭部領域、腕領域、胸部領域、腰部領域及び腿部領域等の画像領域を決定することができる。
【００４１】
可能な一実施形態では、ステップＳ１２において、上記領域から１つ又は複数の領域を選択して目標領域として調節することができる。前記設定パラメータに基づいて、局所変形法（ｌｏｃａｌ  ｔｒａｎｓｌａｔｉｏｎ  ｗａｒｐｓ）等の画像調節方法を用いて目標領域における目標画素点を調節することができ、例えば、設定された目標領域の調節パラメータによって目標画素点の調節方向及び調節幅等のパラメータを決定し、調節方向及び調節幅等のパラメータに基づいて、前記局所変形法によって目標領域における目標画素点を調節することができる。目標領域の輪郭線におけるすべての第１の画素点を調節する（即ち、目標領域の輪郭線を調節する）と共に、輪郭線内側の第３の画素点を調節することができる。前記輪郭線から１つ又は複数の画素点を選択して第１の画素点とし、輪郭線内側において第１の画素点の周辺の事前設定範囲で幾つかの第３の画素点を選択し、第１の画素点及び第３の画素点を調節することもできる。
【００４２】
例示的な例において、腰部領域を選択して調節し、即ち、腰部領域を前記目標領域とすることができ、前記調節は、腰部領域の輪郭線における第１の画素点及び腰部領域の輪郭線内側の第３の画素点を調節することを含んでもよく、例えば、腰部領域の輪郭線における第１の画素点を輪郭線内側方向へ調節し、第３の画素点を適応的に調節して、腰部リシェイプの効果を生じることができる。
【００４３】
例示的な例において、腿部領域を選択して調節し、即ち、腿部領域を前記目標領域とすることができ、前記調節は、腿部の外輪郭線における第１の画素点及び腿部の内輪郭線における第１の画素点を調節し、内輪郭線と外輪郭線との間の輪郭線内側の第３の画素点を調節することを含んでもよい。例えば、腿部の外輪郭線における第１の画素点を内輪郭線の方向へ調節し、外輪郭線付近の第３の画素点を適応的に調節すると共に、腿部の内輪郭線における第１の画素点を外輪郭線の方向へ調節し、且つ内輪郭線付近の第３の画素点を適応的に調節して、腿部リシェイプの効果を生じることができる。外輪郭線における第１の画素点の調節幅は内輪郭線における第１の画素点の調節幅より大きくてもよい。
【００４４】
可能な一実施形態では、前記第１の調節パラメータは、前記第１の画素点の第１の調節方向及び第１の調節幅、前記第３の画素点の第３の調節方向及び第３の調節幅を含み、前記第２の調節パラメータは、前記第２の画素点の第２の調節方向及び第２の調節幅を含む。前記第１の調節方向は第１の画素点を調節する時の第１の画素点の調節方向であり、第１の調節幅は第１の画素点を調節する時の第１の画素点の調節幅であり、調節幅は移動する距離で表してもよく、例示的な例では、被処理画像において、調節幅は移動する画素の数量で表し、例えば、１０画素の距離をもって左へ調節する。それに類似するように、第２の調節方向は第２の画素点を調節する時の第２の画素点の調節方向であり、第２の調節幅は第２の画素点を調節する時の第２の画素点の調節幅である。第３の調節方向は第３の画素点を調節する時の第３の画素点の調節方向であり、第３の調節幅は第３の画素点を調節する時の第３の画素点の調節幅である。
【００４５】
図２は本願の実施例に係る画像処理方法のフローチャートを示す。図２に示すように、可能な一実施形態では、前記方法は、
被処理画像を検出して、前記被処理画像における目標対象の目標点を取得するステップＳ１５であって、前記目標点が、前記輪郭線内側又は前記輪郭線にあり、前記第１の画素点に対応するステップＳ１５を更に含んでもよく、
前記第１の画素点の第１の調節方向は、前記目標点に近接する方向、又は離れる方向を含む。
【００４６】
可能な一実施形態では、ステップＳ１５において、被処理画像から目標点を決定することができ、前記目標点が前記第１の画素点に対応するものであり、前記第１の画素点を調節する時に、第１の画素点は目標点を目標として、目標点に近接するか、又は離れることができる。
【００４７】
可能な一実施形態では、前記目標点が前記輪郭線内側にある。例示的な例において、目標領域が腰部領域であり、腰部領域の輪郭線を検出して腰部領域の２本の輪郭線を決定し、且つ２本の輪郭線における第１の画素点を決定することができる。更に、前記２本の輪郭線にはそれぞれ１つ又は複数の第１の画素点があり、２本の輪郭線における垂直方向の高さが同様である２つの第１の画素点の水平方向における中間点を目標点とする。例えば、被処理画像における腰部領域に対して左右の２本の輪郭線が検出され、そのように目標点が左右の２本の輪郭線の間の領域に位置してもよい。左側の輪郭線には垂直の高さが２００画素である第１の画素点があり、右側輪郭線にも垂直の高さが２００画素である第１の画素点があり、２つの画素点の水平方向の距離が２００画素であり、上記２つの第１の画素点の水平方向の連結線における中間点を選択して目標点とすることができ、即ち、左側又は右側輪郭線における第１の画素点までの距離が１００画素である画素点を上記目標点とすることができる。
【００４８】
例示的な例において、前記目標領域が胸部領域であり、胸部領域の２本の輪郭線における垂直方向の高さが同様である２つの第１の画素点の水平方向における中間点を目標点とすることができる。例示的な例において、前記目標領域が腿部領域であり、腿部の外輪郭線における第１の画素点を調節する時に、内輪郭線にある垂直方向の高さが該第１の画素点と同様な第１の画素点を目標点とすることができ、腿部の内輪郭線における第１の画素点を調節する時に、外輪郭線にある垂直方向の高さが該第１の画素点と同様な第１の画素点を目標点とすることができる。本願は目標点の選択方法を限定するものではない。
【００４９】
可能な一実施形態では、ステップＳ１２において、前記第１の調節パラメータは第１の画素点の第１の調節方向及び第１の調節幅を含んでもよい。前記第１の調節方向及び第１の調節幅は設定パラメータに基づいて決定された調節パラメータであってもよく、例えば、目標領域が腿部領域であり、腿部領域の目標画素点を調節することによって腿部リシェイプの効果を実現することができ、腿部領域の外輪郭線における第１の画素点の調節幅は２０画素の距離をもって調節するようになり、調節方向は目標点に近接する方向であり、内輪郭線における第１の画素点の調節幅は１０画素の距離をもって調節するようになり、調節方向は目標点に近接する方向であるように設定することができる。
【００５０】
図３は本願の実施例に係る画像処理方法のステップＳ１２のフローチャートを示す。図３に示すように、ステップＳ１２は、
前記設定パラメータ及び前記目標点に基づいて、前記第１の画素点の第１の調節方向及び第１の調節幅を決定するステップＳ１２１と、
前記第１の調節方向及び第１の調節幅に基づいて、各第１の画素点の周辺の事前設定範囲内の各第３の画素点の第３の調節方向及び第３の調節幅を決定するステップＳ１２２と、を含んでもよい。
【００５１】
可能な一実施形態では、ステップＳ１２１において、設定パラメータ及び前記目標点に基づいて第１の調節方向及び第１の調節幅を決定することができる。例示的な例において、選定された目標領域を調節する時に、設定パラメータ及び目標点に基づいて第１の画素点を調節することができ、例えば、目標領域が腰部であり、腰部リシェイプの効果を生じるために、２０画素の距離をもって調節するように第１の画素点の第１の調節幅を決定し、第１の調節方向を目標点に近接する方向と決定することができる。
【００５２】
可能な一実施形態では、ステップＳ１２２において、第１の調節幅に基づいて第１の画素点の周辺の事前設定範囲内の各第３の画素点の第３の調節幅を決定することができる。例示的な例において、第１の画素点の周辺の事前設定範囲は、第１の画素点を円心とし第１の画素点と目標点との間の距離を半径とする円形領域における輪郭線内側に属する部分であってもよい。前記第３の画素点の調節幅は第１の画素点と第３の画素点との間の距離に関連してもよい。前記第３の画素点の第３の調節幅は、前記第１の調節幅より小さく、前記第３の画素点と前記第１の画素点との間の距離である第２の基準距離と負の相関である。即ち、第３の画素点と第１の画素点との間の距離が大きいほど、第３の画素点の第３の調節幅が小さい。
【００５３】
例示的な例において、ある第１の画素点の調節幅により、該第１の画素点の周辺の事前設定範囲内の各第３の画素点の調節幅を決定することができ、即ち、該第１の画素点の周辺の事前設定範囲で、第１の画素点までの距離が大きいほどの第３の画素点は、調節幅が小さい。例えば、第１の画素点の第１の調節幅として１５画素の距離をもって調節する場合に、第１の画素点までの距離が１０画素である第３の画素点の調節幅は１０画素の距離をもって調節するようになり、第１の画素点までの距離が２０画素である第３の画素点の調節幅は５画素の距離をもって調節するようになる等である。本願は調節幅を限定するものではない。
【００５４】
図４は本願の実施例に係る画像処理方法のステップＳ１２のフローチャートを示す。図４に示すように、前記第１の調節パラメータは前記第３の画素点の第３の調節方向及び第３の調節幅を更に含む。ステップＳ１２は、
前記設定パラメータ及び前記目標点に基づいて、各第１の画素点の第１の調節方向及び第１の調節幅を決定するステップＳ１２３と、
第３の画素点に最も近い第１の画素点の第１の調節方向及び第１の調節幅に基づいて、前記第３の画素点の第３の調節方向及び第３の調節幅を決定するステップＳ１２４と、を含んでもよい。
【００５５】
可能な一実施形態では、ステップＳ１２３において、設定パラメータ及び前記目標点に基づいて、第１の調節方向及び第１の調節幅を決定することができる。例示的な例において、選定された第１の領域を調節する時に、設定パラメータ及び目標点に基づいて第１の画素点を調節することができ、例えば、第１の領域が腰部であり、腰部リシェイプの効果を生じるために、２０画素の距離をもって調節するように第１の画素点の第１の調節幅を決定し、第１の調節方向を目標点に近接する方向と決定することができる。
【００５６】
可能な一実施形態では、ステップＳ１２４において、第３の画素点に最も近い第１の画素点の第１の調節幅に基づいて、前記第３の画素点の第３の調節幅及び第３の調節方向を決定することができる。例示的な例において、第３の画素点と最も近い第１の画素点との距離が１０画素であり、そのように第３の画素点の第３の調節幅は該第１の画素点の第１の調節幅のみにより決定可能である。前記第３の画素点の第３の調節幅は、前記第１の調節幅より小さく、前記第３の画素点と該第１の画素点との間の距離である第２の基準距離と負の相関である。即ち、第３の画素点と第１の画素点との間の距離が大きいほど、第３の画素点の第３の調節幅が小さい。
【００５７】
図５は本願の実施例に係る画像処理方法のフローチャートを示す。図５に示すように、ステップＳ１２は、
前記第１の調節方向が前記目標点に近接する方向である場合、前記第３の調節方向を前記目標点に近接する方向と決定するステップＳ１２５、
前記第１の調節方向が前記目標点から離れる方向である場合、前記第３の調節方向を前記目標点から離れる方向と決定するステップＳ１２６の一方を含んでもよい。
【００５８】
可能な一実施形態では、ステップＳ１２５又はステップＳ１２６により第３の調節方向を決定することができ、ステップＳ１２２又はステップＳ１２４により第３の調節幅を決定することができる。例示的な例において、前記第１の画素点は目標領域の輪郭線から選択された１つ又は複数の第１の画素点であってもよく、該第１の画素点の調節方向及び調節幅により該第１の画素点の周辺の事前設定範囲内の各第３の画素点の第３の調節方向及び第３の調節幅を決定することができる。ある第３の画素点が同時に２つ又は複数の第１の画素点の周辺の事前設定範囲内に位置する場合に、該第３の画素点の調節方向及び調節幅はそれぞれ前記２つ又は複数の第１の画素点の第１の調節方向及び第１の調節幅に基づいて決定された第３の調節方向及び第３の調節幅のベクトル和である。例示的な例において、画素点の調節はベクトル演算規則により決定可能であり、第３の調節方向がベクトルの方向であり、第３の調節幅がベクトルの大小であり、それぞれ複数の第１の画素点の第１の調節方向及び第１の調節幅に基づいて決定された複数の第３の調節方向及び第３の調節幅は、ベクトルの和を求めて、該第３の画素点の最終的な調節方向及び調節幅を決定することができる。第１の画素点の第１の調節幅及び第１の調節方向、第３の画素点の第３の調節幅及び第３の調節方向がすべて決定された時に、これらの第１の調節パラメータに基づいて目標領域内の目標画素点を調節することができる。
【００５９】
例示的な例において、前記目標領域が腰部領域であり、設定パラメータに基づいて、腰部領域の輪郭線における第１の画素点の第１の調節幅及び第１の調節方向を決定することができ、例えば、第１の調節幅として２０画素の距離をもって調節し、第１の調節方向が目標点に近接する方向であり、腰部リシェイプの効果を生じる。輪郭線内側の第３の画素点のうち、例えば、ある第３の画素点が２つの第１の画素点の周辺の事前設定範囲内に位置し、該第３の画素点とそのうちの１つの第１の画素点との距離が１０画素であり、該距離と該第１の画素点の第１の調節幅及び第１の調節方向により、１０画素の距離をもって調節するように該第３の画素点の第３の調節幅を決定し、第３の調節方向を該第１の画素点に対応する目標点に近接する方向と決定することができる。更に、該第３の画素点とまた１つの第１の画素点との距離が２０画素であり、該距離と前記のまた１つの第１の画素点の第１の調節幅及び第１の調節方向により、５画素の距離をもって調節するように該第３の画素点の第３の調節幅を決定し、第３の調節方向を前記のまた１つの第１の画素点に対応する目標点に近接する方向と決定することができる。該第３の画素点の最終的な調節幅及び調節方向はベクトル演算規則により決定可能であり、即ち、上記２つの第３の調節方向及び第３の調節幅にそれぞれに対応するベクトルの構成するベクトル和を計算する。
【００６０】
可能な一実施形態では、第３の画素点の第３の調節幅及び第３の調節方向は最も近い第１の画素点のみにより決定することができ、例示的な例において、第３の画素点と最も近い第１の画素点との距離が１０画素であり、そのように第３の画素点の第３の調節幅及び第３の調節方向は該第１の画素点の第１の調節幅及び第１の調節方向のみにより決定可能であり、例えば、該第１の画素点の第１の調節幅は１５画素の距離をもって調節するようになり、第１の調節方向は該第１の画素点に対応する目標点に近接する方向であり、そのように第３の画素点の第３の調節幅は１０画素の距離をもって調節するようになり、第３の調節方向は該第１の画素点に対応する目標点に近接する方向である。
【００６１】
このような形態によれば、目標領域における目標画素点を調節する時に、目標領域輪郭線内部の第３の画素点を調節することができ、また、輪郭線内側の第３の画素点の調節方向が輪郭線における第１の画素点の調節方向に適応したものであり、輪郭線内側の領域を全体として調節することが可能になり、被処理画像の目標領域に奇形が発生することが回避され、画像の輪郭線内側領域の調節をより自然にすることができる。
【００６２】
可能な一実施形態では、ステップＳ１３において、目標領域を調節する時に、輪郭線における第１の画素点及び輪郭線内側の第３の画素点を調節することに加えて、第１の調節パラメータに基づいて輪郭線外側の第２の画素点の第２の調節パラメータを決定することができ、それによって輪郭線外側の背景領域における第２の画素点を調節し、背景領域に与える影響が小さく、画像に奇形が発生することが回避される。
【００６３】
図６は本願の実施例に係る画像処理方法のフローチャートを示す。図６に示すように、ステップＳ１３は、
前記第１の画素点の第１の調節方向及び第１の調節幅に基づいて、各第１の画素点の周辺の事前設定範囲内の各第２の画素点の第２の調節方向及び第２の調節幅を決定するステップＳ１３１を含んでもよい。
【００６４】
可能な一実施形態では、第１の画素点の第１の調節幅に基づいて第２の画素点の第２の調節幅を決定することができる。第２の画素点の第２の調節幅は第２の画素点と第１の画素点との間の距離に関連してもよい。前記第２の画素点の第２の調節幅は、前記第１の調節幅より小さく、前記第２の画素点と前記第１の画素点との間の距離である第１の基準距離と負の相関である。即ち、第２の画素点と第１の画素点との間の距離が大きいほど、第２の画素点の調節幅が小さい。例えば、第１の画素点の第１の調節幅として２０画素の距離をもって調節する場合に、第１の画素点までの距離が１０画素である第２の画素点の調節幅は５画素の距離をもって調節するようになり、第１の画素点までの距離が２０画素である第２の画素点の調節幅は２画素の距離をもって調節するようになる等である。本願は調節幅を限定するものではない。
【００６５】
図７は本願の実施例に係る調節幅と距離の関係の模式図を示す。図７における実線は前記輪郭線内側の第３の画素点の第３の調節幅と第２の基準距離（即ち、第３の画素点と第１の画素点との間の距離）との間の関係を表し、図７に示すように、第２の基準距離が大きいほど、第３の画素点の第３の調節幅が小さい。図における点線は前記輪郭線外側の第２の画素点の第２の調節幅と第１の基準距離（即ち、第２の画素点と第１の画素点との間の距離）との間の関係を表し、図７に示すように、第１の基準距離が大きいほど、第２の画素点の第２の調節幅が小さい。
【００６６】
可能な一実施形態では、前記第２の画素点と前記第１の画素点との間の距離が前記第３の画素点と前記第１の画素点との間の距離と同様である場合に、前記第２の画素点の第２の調節幅が前記第３の画素点の第３の調節幅より小さい。即ち、輪郭線外側の第２の画素点及び輪郭線内側の第３の画素点と第１の画素点との距離が同様である場合に、第２の画素点の第２の調節幅が第３の画素点の調節幅より小さい。例えば、輪郭線内側の第３の画素点と第１の画素点との間の距離が２０画素であり、輪郭線外側の第２の画素点と第１の画素点との間の距離も２０画素であり、そのように第３の画素点の第３の調節幅が第２の画素点の第２の調節幅より小さい。例えば、第１の画素点の第１の調節幅として２０画素点の距離をもって調節し、第２の画素点及び第３の画素点と第１の画素点との間の距離がいずれも２０画素であり、そのように第２の画素点の第２の調節幅は２画素点の距離をもって調節するようになり、第３の画素点の第３の調節幅は５画素点の距離をもって調節するようになる。本願は調節幅を限定するものではない。
【００６７】
例示的な例において、第３の画素点の第３の調節幅は第３の画素点と第１の画素点との間の第２の基準距離の第１の関数であってもよく、該関数は単調減少関数であってもよく、即ち、第２の基準距離が大きいほど、第３の調節幅が小さい。第２の画素点の第２の調節幅は第２の画素点と第１の画素点との間の第１の基準距離の第２の関数であってもよく、該関数は単調減少関数であってもよく、即ち、第１の基準距離が大きいほど、第２の調節幅が小さい。例示的な例において、第２の関数の減少率が第１の関数の減少率より大きい。例えば、第２の関数は指数関数であってもよく、従って、第２の調節幅は第１の基準距離が増大するに伴って指数が逓減する。第１の関数は逆比例関数であってもよく、従って、第３の調節幅は第２の基準距離が増大するに伴って逓減する。本願は単調減少関数の種別を限定するものではない。
【００６８】
このような形態によれば、輪郭線における画素点を調節する時に、輪郭線内側及び輪郭線外側の画素点を全体として調節することが可能になり、輪郭線内側の領域の調節効果が実現でき、また、輪郭線外側の背景領域に与える影響が小さく、それによって背景領域の変形が小さく、背景領域の奇形の発生が回避され、輪郭線内側と外側領域がより自然に繋がる。
【００６９】
図８は本願の実施例に係る画像処理方法のフローチャートを示す。図８に示すように、ステップＳ１３は、
第２の画素点に最も近い第１の画素点の第１の調節方向及び第１の調節幅に基づいて、前記第２の画素点の第２の調節方向及び第２の調節幅を決定するステップＳ１３２を含んでもよい。
【００７０】
可能な一実施形態では、第２の画素点に最も近い第１の画素点の第１の調節幅に基づいて、前記第２の画素点の第２の調節幅を決定することができる。例示的な例において、第２の画素点に最も近い第１の画素点の距離は１０画素であり、そのように第２の画素点の第２の調節幅は該第１の画素点の第１の調節幅のみにより決定可能である。前記第２の画素点の第２の調節幅は、前記第１の調節幅より小さく、前記第２の画素点と該第１の画素点との間の距離である第１の基準距離と負の相関である。即ち、第２の画素点と第１の画素点との間の距離が大きいほど、第２の画素点の第２の調節幅が小さい。
【００７１】
図９は本願の実施例に係る画像処理方法のフローチャートを示す。図９に示すように、ステップＳ１３は、
前記第１の調節方向が前記目標点に近接する方向である場合、前記第２の調節方向を前記目標点に近接する方向と決定するステップＳ１３３、
前記第１の調節方向が前記目標点から離れる方向である場合、前記第２の調節方向を前記目標点から離れる方向と決定するステップＳ１３４の一方を含んでもよい。
【００７２】
可能な一実施形態では、ステップＳ１３３又はステップＳ１３４により第２の画素点の第２の調節方向を決定することができ、ステップＳ１３１又はステップＳ１３２により第２の調節幅を決定することができる。即ち、第１の調節方向が前記目標点に近接する方向である場合、第２の調節方向は前記目標点に近接する方向であり、第１の調節方向が前記目標点から離れる方向である場合、第２の調節方向は前記目標点から離れる方向である。
【００７３】
可能な一実施形態では、ある第２の画素点が同時に２つ又は複数の第１の画素点に近接する場合に、該第２の画素点の調節方向及び調節幅はそれぞれ前記２つ又は複数の第１の画素点の第１の調節方向及び第１の調節幅に基づいて決定された第２の調節方向及び第２の調節幅のベクトル和である。例示的な例において、画素点の調節はベクトル演算規則により決定可能であり、第２の調節方向がベクトルの方向であり、第２の調節幅がベクトルの大小であり、それぞれ複数の第１の画素点の第１の調節方向及び第１の調節幅に基づいて決定された複数の第２の調節方向及び第２の調節幅は、ベクトルの和を求めて、該第２の画素点の最終的な調節方向及び調節幅を決定することができる。第１の画素点の第１の調節幅及び第１の調節方向、第２の画素点の第２の調節幅及び第２の調節方向がすべて決定された時に、これらの調節パラメータに基づいて目標領域内の画素点を調節することができる。
【００７４】
例示的な例において、目標領域が腰部領域であり、腰部領域を調節することができ、第１の調節パラメータ及び第２の画素点と第１の画素点との間の第１の基準距離により、腰部領域の輪郭線外側の第２の画素点の第２の調節幅及び第２の調節方向を決定することができる。例えば、第１の調節幅として２０画素の距離をもって調節し、第１の調節方向が前記目標点に近接する方向であり、第２の画素点のうち、ある第２の画素点が２つの第１の画素点付近に位置し、そのように、その第２の調節パラメータは２つの第１の画素点の調節パラメータ及びそれぞれの２つの第１の画素点との間の距離により決定可能であり、例えば、該第２の画素点と１つの第１の画素点の第１の基準距離が１０画素であり、また１つの第１の画素点との第１の基準距離が２０画素である。前記１つの第１の画素点の第１の調節幅、第１の調節方向及び第２の画素点と該第１の画素点との間の距離により、２画素の距離をもって調節するように第２の画素点の第２の調節幅を決定し、第２の調節方向を該第１の画素点に対応する目標点に近接する方向と決定することができる。更に、第２の画素点とまた１つの第１の画素点との距離が１０画素であり、該距離と前記のまた１つの第１の画素点の第１の調節幅及び第１の調節方向により、５画素の距離をもって調節するように該第２の画素点の第２の調節幅を決定し、第２の調節方向を前記のまた１つの第１の画素点に対応する目標点に近接する方向と決定することができる。該第２の画素点の最終的な調節幅及び調節方向はベクトル演算規則により決定可能であり、即ち、上記２つの第２の調節方向及び第２の調節幅にそれぞれに対応するベクトルの構成するベクトル和を計算する。
【００７５】
可能な一実施形態では、第２の画素点の第２の調節幅及び第２の調節方向は最も近い第１の画素点のみにより決定可能であり、例示的な例において、第２の画素点と最も近い第１の画素点との距離が１０画素であり、そのように第２の画素点の第２の調節幅及び第２の調節方向は該第１の画素点の第１の調節幅及び第１の調節方向のみにより決定可能であり、例えば、該第１の画素点の第１の調節幅として２０画素の距離をもって調節し、第１の調節方向が該第１の画素点に対応する目標点に近接する方向である場合に、第２の画素点の第２の調節幅は５画素の距離をもって調節するようになり、第２の調節方向は該第１の画素点に対応する目標点に近接する方向である。
【００７６】
このような形態によれば、目標領域における目標画素点を調節する時に輪郭線外側の背景領域を適応的に調節して、背景領域における第２の画素点の第２の調節方向を第１の画素点の調節方向に対応させることができ、背景領域と輪郭線内側領域が自然に繋がり、背景領域への影響が小さくなり、被処理画像の背景領域に奇形が発生することが回避される。
【００７７】
可能な一実施形態では、ステップＳ１４において、前記第１の調節パラメータ及び前記第２の調節パラメータに基づいて、被処理画像を調節して、調節後の画像を取得することができる。調節後の画像は腰部リシェイプ又は腿部リシェイプ等の効果を有している画像であってもよく、該画像の背景領域に与えられる影響が小さい。
【００７８】
本願の実施例に係る画像処理方法は、選定された目標領域の目標画素点の第１の調節パラメータによって目標領域の輪郭線外側の背景領域における第２の画素点の第２の調節パラメータを決定すると共に、輪郭線内側の第３の画素点を調節することができ、それによって、目標領域の輪郭線を調節する時に背景領域及び輪郭線内側の画素点を適応的に調節することができ、被処理画像における目標対象の輪郭線を調節する時に輪郭線内側及び外側領域を全体として調節することが可能になり、輪郭線外側の背景領域に与える影響が小さく、更に、輪郭線内側及び外側領域の画素点の調節方向がいずれも輪郭線における第１の画素点の調節方向に適応したものであり、それによって、背景領域と輪郭線内側領域が自然に繋がって、画像の奇形の発生が回避される。
【００７９】
図１０は本願の実施例に係る画像処理方法の適用の模式図を示す。図１０に示すように、選定された目標領域が腿部領域であり、設定パラメータに基づいて、２０画素の距離をもって調節するように腿部の外輪郭線における第１の画素点の第１の調節幅を決定し、外輪郭線における第１の画素点の調節方向をそれに対応する目標点に近接する方向と決定し、外輪郭線における第１の画素点の目標点を内輪郭線にある垂直方向の高さが第１の画素点と同様な第１の画素点と決定することができる。腿部領域の外輪郭線を調節する時に、腿部領域の内輪郭線を同時に調節して、画像の奇形を回避することができ、例えば、内輪郭線における第１の画素点の第１の調節幅は５画素の距離をもって調節するようになり、内輪郭線における第１の画素点の調節方向はそれに対応する目標点に近接する方向であり、内輪郭線における第１の画素点の目標点は外輪郭線にある垂直方向の高さが第１の画素点と同様な第１の画素点であるように設定することができる。
【００８０】
可能な一実施形態では、第１の画素点を調節する時に、第１の画素点の周辺の事前設定範囲内の輪郭線内側の第３の画素点を調節することができ、第３の画素点の第３の調節幅は第３の画素点と第１の画素点との間の距離と負の相関であり、即ち、第３の画素点と第１の画素点との間の距離が遠いほど、第３の画素点の調節幅が小さい。例示的な例において、第３の画素点と１つの第１の画素点との距離が１０画素であり、該距離と該第１の画素点の第１の調節幅及び第１の調節方向により、１０画素の距離をもって調節するように第３の画素点の第３の調節幅を決定し、第３の調節方向を該第１の画素点に対応する目標点に近接する方向と決定することができる。第３の画素点とまた１つの第１の画素点との距離が２０画素であり、該距離と前記のまた１つの第１の画素点の第１の調節幅及び第１の調節方向により、５画素の距離をもって調節するように該第３の画素点の第３の調節幅を決定し、第３の調節方向を前記のまた１つの第１の画素点に対応する目標点に近接する方向と決定することができる。図１０に示すように、第３の画素点の最終的な調節幅及び調節方向はベクトル演算規則により決定可能である。
【００８１】
可能な一実施形態では、第３の画素点の第３の調節幅及び第３の調節方向は最も近い第１の画素点のみにより決定可能であり、例示的な例において、第３の画素点と最も近い第１の画素点との距離が１０画素であり、そのように第３の画素点の第３の調節幅及び第３の調節方向は該第１の画素点の第１の調節幅及び第１の調節方向のみにより決定可能であり、例えば、該第１の画素点の第１の調節幅として２０画素の距離をもって調節し、第１の調節方向が該第１の画素点に対応する目標点に近接する方向である場合に、第３の画素点の第３の調節幅は１０画素の距離をもって調節するようになり、第３の調節方向は該第１の画素点に対応する目標点に近接する方向である。
【００８２】
可能な一実施形態では、輪郭線外側の第２の画素点を調節する時に、第２の画素点と第１の画素点との距離により第２の画素点の第２の調節幅を決定することができ、第２の画素点の第２の調節幅は第２の画素点と第１の画素点との間の距離と負の相関であり、即ち、第２の画素点と第１の画素点との間の距離が遠いほど、第２の画素点の調節幅が小さい。例示的な例において、第２の画素点と１つの第１の画素点との距離が１０画素であり、該距離と該第１の画素点の第１の調節幅及び第１の調節方向により、５画素の距離をもって調節するように第２の画素点の第２の調節幅を決定し、第２の調節方向を該第１の画素点に対応する目標点に近接する方向と決定することができる。第２の画素点とまた１つの第１の画素点との距離が２０画素であり、該距離と前記のまた１つの第１の画素点の第１の調節幅及び第１の調節方向により、２画素の距離をもって調節するように該第２の画素点の第２の調節幅を決定し、第２の調節方向を前記のまた１つの第１の画素点に対応する目標点に近接する方向と決定することができる。図１０に示すように、第４の画素点の最終的な調節幅及び調節方向はベクトル演算規則により決定可能である。
【００８３】
可能な一実施形態では、第２の画素点の第２の調節幅及び第２の調節方向は最も近い第１の画素点のみにより決定可能であり、例示的な例において、第２の画素点と最も近い第１の画素点との距離が１０画素であり、そのように第２の画素点の第２の調節幅及び第２の調節方向は該第１の画素点の第１の調節幅及び第１の調節方向のみにより決定可能であり、例えば、該第１の画素点の第１の調節幅として２０画素の距離をもって調節し、第１の調節方向が該第１の画素点に対応する目標点に近接する方向である場合に、第２の画素点の第２の調節幅は５画素の距離をもって調節するようになり、第２の調節方向は該第１の画素点に対応する目標点に近接する方向である。
【００８４】
可能な一実施形態では、更に目標領域に隣接する他の領域の画素点を適応的に調節して、調節後の画像の輪郭線を平滑にすることができる。
【００８５】
図１１は本願の実施例に係る画像処理装置のブロック図を示す。図１１に示すように、前記画像処理装置は、
被処理画像を検出して、前記被処理画像における目標対象の輪郭線及び前記目標対象の複数の領域を決定するための検出モジュール１１と、
前記複数の領域のうちの目標領域に対して、設定パラメータに基づいて、前記目標領域における複数の目標画素点の第１の調節パラメータを決定するための第１の調節パラメータ決定モジュール１２であって、前記複数の目標画素点が、前記輪郭線にある第１の画素点及び前記輪郭線内側にある第３の画素点を含む第１の調節パラメータ決定モジュール１２と、
前記目標領域に対して、前記第１の調節パラメータに基づいて、前記輪郭線外側における第２の画素点の第２の調節パラメータを決定するための第２の調節パラメータ決定モジュール１３と、
前記第１の調節パラメータ及び前記第２の調節パラメータに基づいて、前記被処理画像に対して調節処理を行って、調節後の画像を取得するための画像処理モジュール１４と、を含む。
【００８６】
可能な一実施形態では、前記第１の調節パラメータは、前記第１の画素点の第１の調節方向及び第１の調節幅、前記第３の画素点の第３の調節方向及び第３の調節幅を含み、前記第２の調節パラメータは、前記第２の画素点の第２の調節方向及び第２の調節幅を含む。
【００８７】
図１２は本願の実施例に係る画像処理装置のブロック図を示す。図１２に示すように、前記装置は、
被処理画像を検出して、前記被処理画像における目標対象の目標点を取得するための目標点取得モジュール１５であって、前記目標点が、前記輪郭線内側又は前記輪郭線にあり、前記第１の画素点に対応する目標点取得モジュール１５を更に含み、
前記第１の画素点の第１の調節方向は、前記目標点に近接する方向、又は離れる方向を含む。
【００８８】
可能な一実施形態では、第１の調節パラメータ決定モジュール１２は、
前記設定パラメータ及び前記目標点に基づいて、前記第１の画素点の第１の調節方向及び第１の調節幅を決定するための第１の決定サブモジュール１２１と、
前記第１の調節方向及び第１の調節幅に基づいて、各第１の画素点の周辺の事前設定範囲内の各第３の画素点の第３の調節方向及び第３の調節幅を決定するための第２の決定サブモジュール１２２と、を含む。
【００８９】
可能な一実施形態では、第１の調節パラメータ決定モジュール１２は、
前記設定パラメータ及び前記目標点に基づいて、各第１の画素点の第１の調節方向及び第１の調節幅を決定するための第３の決定サブモジュール１２３と、
第３の画素点に最も近い第１の画素点の第１の調節方向及び第１の調節幅に基づいて、前記第３の画素点の第３の調節方向及び第３の調節幅を決定するための第４の決定サブモジュール１２４と、を含む。
【００９０】
可能な一実施形態では、第１の調節パラメータ決定モジュール１２は、
前記第１の調節方向が前記目標点に近接する方向である場合、前記第３の調節方向を前記目標点に近接する方向と決定するための第１の方向決定サブモジュール１２５、
前記第１の調節方向が前記目標点から離れる方向である場合、前記第３の調節方向を前記目標点から離れる方向と決定するための第２の方向決定サブモジュール１２６の一方を含む。
【００９１】
可能な一実施形態では、前記第３の画素点の第３の調節幅は、前記第１の調節幅より小さく、前記第３の画素点と前記第１の画素点との間の距離である第２の基準距離と負の相関である。
【００９２】
可能な一実施形態では、第２の調節パラメータ決定モジュール１３は、
前記第１の画素点の第１の調節方向及び第１の調節幅に基づいて、各第１の画素点の周辺の事前設定範囲内の各第２の画素点の第２の調節方向及び第２の調節幅を決定するための第５の決定サブモジュール１３１を含む。
【００９３】
可能な一実施形態では、第２の調節パラメータ決定モジュール１３は、
第２の画素点に最も近い第１の画素点の第１の調節方向及び第１の調節幅に基づいて、前記第２の画素点の第２の調節方向及び第２の調節幅を決定するための第６の決定サブモジュール１３２を含む。
【００９４】
可能な一実施形態では、第２の調節パラメータ決定モジュール１３は、
前記第１の調節方向が前記目標点に近接する方向である場合、前記第２の調節方向を前記目標点に近接する方向と決定するための第３の方向決定サブモジュール１３３、
前記第１の調節方向が前記目標点から離れる方向である場合、前記第２の調節方向を前記目標点から離れる方向と決定するための第４の方向決定サブモジュール１３４の一方を含む。
【００９５】
可能な一実施形態では、前記第２の画素点の第２の調節幅は、前記第１の調節幅より小さく、前記第２の画素点と前記第１の画素点との間の距離である第１の基準距離と負の相関である。
【００９６】
可能な一実施形態では、前記第２の画素点と前記第１の画素点との間の距離が前記第３の画素点と前記第１の画素点との間の距離と等しい場合、前記第２の画素点の第２の調節幅が前記第３の画素点の第３の調節幅より小さい。
【００９７】
本願で言及される上記各方法の実施例は、原理と論理に違反しない限り、相互に組み合わせて、組合せ後の実施例を形成することができることが理解され、紙数に限りがあるので、本願では詳細な説明を省略する。
【００９８】
また、本願は画像処理装置、電子機器、コンピュータ可読記憶媒体及びプログラムを更に提供し、それらはいずれも本願で提供されるいずれか１種の画像処理方法を実現するために利用可能であり、それに対応する技術手段及び説明については方法部分に対応する記載を参照してよく、ここで省略する。
【００９９】
本願の実施例は、コンピュータプログラムコマンドが記憶されているコンピュータ可読記憶媒体であって、前記コンピュータプログラムコマンドがプロセッサにより実行されると、上記方法を実現するコンピュータ可読記憶媒体を更に提供する。コンピュータ可読記憶媒体は不揮発性コンピュータ可読記憶媒体であってもよい。
【０１００】
本願の実施例は、上記方法を実行するように構成されるプロセッサと、プロセッサ実行可能コマンドを記憶するためのメモリと、を含む電子機器を更に提供する。
【０１０１】
電子機器は、端末、サーバ又は他の形態の機器として提供されてもよい。
【０１０２】
図１３は例示的な一実施例により示された電子機器８００のブロック図である。例えば、電子機器８００は携帯電話、コンピュータ、デジタル放送端末、メッセージ送受信装置、ゲームコンソール、タブレット装置、医療機器、フィットネス器具、パーソナル・デジタル・アシスタント等の端末であってよい。
【０１０３】
図１３を参照すると、電子機器８００は処理コンポーネント８０２、メモリ８０４、電源コンポーネント８０６、マルチメディアコンポーネント８０８、オーディオコンポーネント８１０、入力／出力（Ｉ／Ｏ）インターフェイス８１２、センサコンポーネント８１４、および通信コンポーネント８１６の一つ以上を含むことができる。
【０１０４】
処理コンポーネント８０２は通常、電子機器８００の全体的な動作、例えば表示、電話の呼び出し、データ通信、カメラ動作および記録動作に関連する動作を制御する。処理コンポーネント８０２は、上記方法の全てまたは一部のステップを完了するために、一つ以上のプロセッサ８２０を含んで命令を実行することができる。また、処理コンポーネント８０２は、他のコンポーネントとの対話のために、一つ以上のモジュールを含むことができる。例えば、処理コンポーネント８０２は、マルチメディアコンポーネント８０８との対話のために、マルチメディアモジュールを含むことができる。
【０１０５】
メモリ８０４は電子機器８００での動作をサポートするために様々なタイプのデータを記憶するように構成される。これらのデータの例は電子機器８００において運用するためのあらゆるアプリケーションプログラムまたは方法の命令、連絡先データ、電話帳データ、メッセージ、ピクチャー、ビデオなどを含む。メモリ８０４は、例えば静的ランダムアクセスメモリ（ＳＲＡＭ）、電気的消去可能プログラマブル読み取り専用メモリ（ＥＥＰＲＯＭ）、消去可能なプログラマブル読み取り専用メモリ（ＥＰＲＯＭ）、プログラマブル読み取り専用メモリ（ＰＲＯＭ）、読み取り専用メモリ（ＲＯＭ）、磁気メモリ、フラッシュメモリ、磁気ディスクまたは光ディスクなどの様々なタイプの揮発性または非揮発性記憶機器またはそれらの組み合わせによって実現できる。
【０１０６】
電源コンポーネント８０６は電子機器８００の各コンポーネントに電力を供給する。電源コンポーネント８０６は電源管理システム、一つ以上の電源、および電子機器８００のための電力生成、管理および配分に関連する他のコンポーネントを含むことができる。
【０１０７】
マルチメディアコンポーネント８０８は前記電子機器８００とユーザとの間で出力インターフェイスを提供する画面を含む。いくつかの実施例では、画面は液晶ディスプレイ（ＬＣＤ）およびタッチパネル（ＴＰ）を含むことができる。画面がタッチパネルを含む場合、ユーザからの入力信号を受信するために、タッチ画面として実現してもよい。タッチパネルは、タッチ、スライドおよびタッチパネルでのジェスチャを検知するために、一つ以上のタッチセンサを含む。前記タッチセンサはタッチまたはスライド動きの境界を検知するのみならず、前記タッチまたはスライド操作に関連する持続時間および圧力を検出することもできる。いくつかの実施例では、マルチメディアコンポーネント８０８は前面カメラおよび／または後面カメラを含む。電子機器８００が動作モード、例えば撮影モードまたは撮像モードになる場合、前面カメラおよび／または後面カメラは外部のマルチメディアデータを受信することができる。各前面カメラおよび後面カメラは固定された光学レンズ系または焦点距離および光学ズーム能力を有するものであってもよい。
【０１０８】
オーディオコンポーネント８１０はオーディオ信号を出力および／または入力するように構成される。例えば、オーディオコンポーネント８１０は、電子機器８００が動作モード、例えば呼び出しモード、記録モードおよび音声認識モードになる場合、外部のオーディオ信号を受信するように構成されたマイク（ＭＩＣ）を含む。受信されたオーディオ信号はさらにメモリ８０４に記憶されるか、または通信コンポーネント８１６によって送信されてもよい。いくつかの実施例では、オーディオコンポーネント８１０はさらに、オーディオ信号を出力するためのスピーカーを含む。
【０１０９】
Ｉ／Ｏインターフェイス８１２は処理コンポーネント８０２と周辺インターフェイスモジュールとの間でインターフェイスを提供し、上記周辺インターフェイスモジュールはキーボード、クリックホイール、ボタンなどであってもよい。これらのボタンはホームボタン、音量ボタン、スタートボタンおよびロックボタンを含むことができるが、これらに限定されない。
【０１１０】
センサコンポーネント８１４は電子機器８００に各面での状態評価を提供するための一つ以上のセンサを含む。例えば、センサコンポーネント８１４は電子機器８００のオン／オフ状態、コンポーネントの相対的位置決め、例えば前記コンポーネントが電子機器８００の表示装置およびキーパッドであることを検出でき、センサコンポーネント８１４はさらに、電子機器８００または電子機器８００のあるコンポーネントの位置の変化、ユーザと電子機器８００との接触の有無、電子機器８００の方位または加減速および電子機器８００の温度変化を検出できる。センサコンポーネント８１４は、いかなる物理的接触もない場合に近傍の物体の存在を検出するために用いられるように構成された近接センサを含む。センサコンポーネント８１４はさらに、ＣＭＯＳまたはＣＣＤイメージセンサのような、イメージングアプリケーションにおいて使用するための光センサを含むことができる。いくつかの実施例では、該センサコンポーネント８１４はさらに、加速度センサ、ジャイロスコープセンサ、磁気センサ、圧力センサまたは温度センサを含むことができる。
【０１１１】
通信コンポーネント８１６は電子機器８００と他の機器との間の有線または無線通信を実現するように配置される。電子機器８００は通信規格に基づく無線ネットワーク、例えばＷｉＦｉ、２Ｇまたは３Ｇ、またはそれらの組み合わせにアクセスできる。一例示的実施例では、通信コンポーネント８１６は放送チャネルによって外部の放送管理システムの放送信号または放送関連情報を受信する。一例示的実施例では、前記通信コンポーネント８１６はさらに、近距離通信を促進させるために、近距離無線通信（ＮＦＣ）モジュールを含む。例えば、ＮＦＣモジュールでは無線周波数識別（ＲＦＩＤ）技術、赤外線データ協会（ＩｒＤＡ）技術、超広帯域（ＵＷＢ）技術、ブルートゥース（登録商標）（ＢＴ）技術および他の技術によって実現できる。
【０１１２】
例示的な実施例では、電子機器８００は一つ以上の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子要素によって実現し、上記方法を実行するために用いることができる。
【０１１３】
例示的な実施例では、さらに、非揮発性コンピュータ読み取り可能記憶媒体、例えばコンピュータプログラム命令を含むメモリ８０４が提供され、上記コンピュータプログラム命令は電子機器８００のプロセッサ８２０によって実行して上記方法を完了することができる。
【０１１４】
図１４は例示的な一実施例により示された電子機器１９００のブロック図である。例えば、電子機器１９００はサーバとして提供できる。図１４を参照すると、電子機器１９００は、さらに一つ以上のプロセッサを含む処理コンポーネント１９２２、および、処理コンポーネント１９２２によって実行可能な命令、例えばアプリケーションプログラムを記憶するための、メモリ１９３２を代表とするメモリ資源を含む。メモリ１９３２に記憶されたアプリケーションプログラムはそれぞれが１グループの命令に対応する一つ以上のモジュールを含むことができる。また、処理コンポーネント１９２２は命令を実行し、それによって上記方法を実行するように構成される。
【０１１５】
電子機器１９００はさらに、電子機器１９００の電源管理を実行するように構成された電源コンポーネント１９２６、電子機器１９００をネットワークにアクセスするように構成された有線または無線ネットワークインターフェイス１９５０、および入出力（Ｉ／Ｏ）インターフェイス１９５８を含むことができる。電子機器１９００はメモリ１９３２に記憶されたオペレーティングシステム、例えばＷｉｎｄｏｗｓ（登録商標）  ＳｅｒｖｅｒＴＭ、Ｍａｃ  ＯＳ  ＸＴＭ、Ｕｎｉｘ（登録商標）、Ｌｉｎｕｘ（登録商標）、ＦｒｅｅＢＳＤＴＭまたは類似するものに基づいて動作できる。
【０１１６】
例示的な実施例では、さらに、非揮発性コンピュータ読み取り可能記憶媒体、例えばコンピュータプログラム命令を含むメモリ１９３２が提供され、上記コンピュータプログラム命令は電子機器１９００の処理コンポーネント１９２２によって実行して上記方法を完了することができる。
【０１１７】
本願はシステム、方法および／またはコンピュータプログラム製品であってもよい。コンピュータプログラム製品はプロセッサに本願の各態様を実現させるためのコンピュータ読み取り可能プログラム命令がロードされているコンピュータ読み取り可能記憶媒体を含むことができる。
【０１１８】
コンピュータ読み取り可能記憶媒体は命令実行機器により使用される命令を保存および記憶可能な有形機器であってもよい。コンピュータ読み取り可能記憶媒体は例えば、電気記憶装置、磁気記憶装置、光記憶装置、電磁記憶装置、半導体記憶装置または上記の任意の適当な組み合わせであってもよいが、これらに限定されない。コンピュータ読み取り可能記憶媒体のさらに具体的な例（非包括的リスト）としては、携帯型コンピュータディスク、ハードディスク、ランダムアクセスメモリ（ＲＡＭ）、読み取り専用メモリ（ＲＯＭ）、消去可能プログラマブル読み取り専用メモリ（ＥＰＲＯＭまたはフラッシュメモリ）、静的ランダムアクセスメモリ（ＳＲＡＭ）、携帯型コンパクトディスク読み取り専用メモリ（ＣＤ−ＲＯＭ）、デジタル多用途ディスク（ＤＶＤ）、メモリスティック、フロッピー（登録商標）ディスク、機械的符号化装置、例えば命令が記憶されているせん孔カードまたはスロット内突起構造、および上記の任意の適当な組み合わせを含む。ここで使用されるコンピュータ読み取り可能記憶媒体は瞬時信号自体、例えば無線電波または他の自由に伝播される電磁波、導波路または他の伝送媒体を経由して伝播される電磁波（例えば、光ファイバーケーブルを通過するパルス光）、または電線を経由して伝送される電気信号と解釈されるものではない。
【０１１９】
ここで記述したコンピュータ読み取り可能プログラム命令はコンピュータ読み取り可能記憶媒体から各計算／処理機器にダウンロードされてもよいし、またはネットワーク、例えばインターネット、ローカルエリアネットワーク、広域ネットワークおよび／または無線ネットワークによって外部のコンピュータまたは外部記憶装置にダウンロードされてもよい。ネットワークは銅伝送ケーブル、光ファイバー伝送、無線伝送、ルーター、ファイアウォール、交換機、ゲートウェイコンピュータおよび／またはエッジサーバを含むことができる。各計算／処理機器内のネットワークアダプタカードまたはネットワークインターフェイスはネットワークからコンピュータ読み取り可能プログラム命令を受信し、該コンピュータ読み取り可能プログラム命令を転送し、各計算／処理機器内のコンピュータ読み取り可能記憶媒体に記憶する。
【０１２０】
本願の動作を実行するためのコンピュータプログラム命令はアセンブラ命令、命令セットアーキテクチャ（ＩＳＡ）命令、機械語命令、機械依存命令、マイクロコード、ファームウェア命令、状態設定データ、またはＳｍａｌｌｔａｌｋ、Ｃ＋＋などのオブジェクト指向プログラミング言語、および「Ｃ」言語または類似するプログラミング言語などの一般的な手続き型プログラミング言語を含む一つ以上のプログラミング言語の任意の組み合わせで書かれたソースコードまたは目標コードであってもよい。コンピュータ読み取り可能プログラム命令は、完全にユーザのコンピュータにおいて実行されてもよく、部分的にユーザのコンピュータにおいて実行されてもよく、スタンドアロンソフトウェアパッケージとして実行されてもよく、部分的にユーザのコンピュータにおいてかつ部分的にリモートコンピュータにおいて実行されてもよく、または完全にリモートコンピュータもしくはサーバにおいて実行されてもよい。リモートコンピュータに関与する場合、リモートコンピュータは、ローカルエリアネットワーク（ＬＡＮ）または広域ネットワーク（ＷＡＮ）を含む任意の種類のネットワークを経由してユーザのコンピュータに接続されてもよく、または、（例えばインターネットサービスプロバイダを利用してインターネットを経由して）外部コンピュータに接続されてもよい。いくつかの実施例では、コンピュータ読み取り可能プログラム命令の状態情報を利用して、例えばプログラマブル論理回路、フィールドプログラマブルゲートアレイ（ＦＰＧＡ）またはプログラマブル論理アレイ（ＰＬＡ）などの電子回路をパーソナライズすることで、該電子回路はコンピュータ読み取り可能プログラム命令を実行し、それにより本願の各態様を実現できるようになる。
【０１２１】
なお、ここで本願の実施例に係る方法、装置（システム）およびコンピュータプログラム製品のフローチャートおよび／またはブロック図を参照しながら本願の各態様を説明しが、フローチャートおよび／またはブロック図の各ブロックおよびフローチャートおよび／またはブロック図の各ブロックの組み合わせは、いずれもコンピュータ読み取り可能プログラム命令によって実現できることを理解すべきである。
【０１２２】
これらのコンピュータ読み取り可能プログラム命令は、機械を製造するために、共通コンピュータ、専用コンピュータまたは他のプログラマブルデータ処理装置のプロセッサへ提供されてもよく、それにより、これらの命令はコンピュータまたは他のプログラマブルデータ処理装置のプロセッサによって実行され、フローチャートおよび／またはブロック図の一つ以上のブロックにおいて指定された機能／動作を実現する手段を創出する。また、これらのコンピュータ読み取り可能プログラム命令は、コンピュータ読み取り可能記憶媒体に記憶し、それによってコンピュータ、プログラマブルデータ処理装置および／または他の機器を特定の方式で動作させるようにしてもよく、それにより、中に保存された命令を有するコンピュータ読み取り可能記憶媒体は、フローチャートおよび／またはブロック図の一つ以上のブロックにおいて指定された機能／動作の各態様を実現する命令を含む製品を備える。
【０１２３】
コンピュータ読み取り可能プログラムはコンピュータ、他のプログラマブルデータ処理装置、または他の機器にロードすることにより、コンピュータ実施プロセスを生成するように、コンピュータ、他のプログラマブルデータ処理装置または他の機器において一連の動作ステップを実行させるようにしてもよく、それにより、コンピュータ、他のプログラマブルデータ処理装置、または他の機器において実行される命令はフローチャートおよび／またはブロック図の一つ以上のブロックにおいて指定された機能／動作を実現する。
【０１２４】
図面のうちフローチャートおよびブロック図は本願の複数の実施例に係るシステム、方法およびコンピュータプログラム製品の実現可能なシステムアーキテクチャ、機能および動作を示す。この点では、フローチャートまたはブロック図における各ブロックは一つのモジュール、プログラムセグメントまたは命令の一部分を代表することができ、前記モジュール、プログラムセグメントまたは命令の一部分は指定された論理機能を実現するための一つ以上の実行可能命令を含む。いくつかの置換としての実施形態では、ブロックに表記される機能は図面に付したものと異なる順序で実現してもよい。例えば、二つの連続的なブロックは実質的に同時に実行してもよく、また、係る機能によって、それらは逆な順序で実行してもよい場合がある。なお、ブロック図および／またはフローチャートにおける各ブロック、およびブロック図および／またはフローチャートにおけるブロックの組み合わせは、指定される機能または動作を実行するハードウェアに基づく専用システムによって実現してもよいし、または専用ハードウェアとコンピュータ命令との組み合わせによって実現してもよいことに注意すべきである。
【０１２５】
以上、本願の各実施例を記述したが、上記説明は例示的なものに過ぎず、網羅的なものではなく、かつ披露された各実施例に限定されるものでもない。当業者にとって、説明された各実施例の範囲および精神から逸脱することなく、様々な修正および変更が自明である。本明細書に選ばれた用語は、各実施例の原理、実際の適用または市場における技術への技術的改善を好適に解釈するか、または他の当業者に本文に披露された各実施例を理解させるためのものである。  
【図１】
2021503663.tif 000003
【図２】
2021503663.tif 000004
【図３】
2021503663.tif 000005
【図４】
2021503663.tif 000006
【図５】
2021503663.tif 000007
【図６】
2021503663.tif 000008
【図７】
2021503663.tif 000009
【図８】
2021503663.tif 000010
【図９】
2021503663.tif 000011
【図１０】
2021503663.tif 000012
【図１１】
2021503663.tif 000013
【図１２】
2021503663.tif 000014
【図１３】
2021503663.tif 000015
【図１４】
2021503663.tif 000016
【手続補正書】
【提出日】令和2年5月18日(2020.5.18)
【手続補正１】
【補正対象書類名】特許請求の範囲
【補正対象項目名】全文
【補正方法】変更
【補正の内容】
【特許請求の範囲】
【請求項１】
被処理画像を検出して、前記被処理画像における目標対象の輪郭線及び前記目標対象の複数の領域を決定するステップと、
前記複数の領域のうちの目標領域に対して、設定パラメータに基づいて、前記目標領域における複数の目標画素点の第１の調節パラメータを決定するステップであって、前記複数の目標画素点が、前記輪郭線にある第１の画素点及び前記輪郭線内側にある第３の画素点を含むステップと、
前記目標領域に対して、前記第１の調節パラメータに基づいて、前記輪郭線外側における第２の画素点の第２の調節パラメータを決定するステップと、
前記第１の調節パラメータ及び前記第２の調節パラメータに基づいて、前記被処理画像に対して調節処理を行って、調節後の画像を取得するステップと、を含むことを特徴とする画像処理方法。
【請求項２】
前記第１の調節パラメータは、前記第１の画素点の第１の調節方向及び第１の調節幅、前記第３の画素点の第３の調節方向及び第３の調節幅を含み、前記第２の調節パラメータは、前記第２の画素点の第２の調節方向及び第２の調節幅を含むことを特徴とする請求項１に記載の方法。
【請求項３】
被処理画像を検出して、前記被処理画像における目標対象の目標点を取得するステップであって、前記目標点が、前記輪郭線内側又は前記輪郭線にあり、前記第１の画素点に対応するステップを更に含み、
前記第１の画素点の第１の調節方向は、前記目標点に近接する方向、又は離れる方向を含むことを特徴とする請求項２に記載の方法。
【請求項４】
前記複数の領域のうちの目標領域に対して、設定パラメータに基づいて、前記目標領域における複数の目標画素点の第１の調節パラメータを決定するステップは、
前記設定パラメータ及び前記目標点に基づいて、前記第１の画素点の第１の調節方向及び第１の調節幅を決定するステップと、
前記第１の調節方向及び第１の調節幅に基づいて、各第１の画素点の周辺の事前設定範囲内の各第３の画素点の第３の調節方向及び第３の調節幅を決定するステップと、を含み、
又は、
前記設定パラメータ及び前記目標点に基づいて、各第１の画素点の第１の調節方向及び第１の調節幅を決定するステップと、
第３の画素点に最も近い第１の画素点の第１の調節方向及び第１の調節幅に基づいて、前記第３の画素点の第３の調節方向及び第３の調節幅を決定するステップと、を含むことを特徴とする請求項２又は３に記載の方法。
【請求項５】
前記目標領域に対して、前記第１の調節パラメータに基づいて、前記輪郭線外側における第２の画素点の第２の調節パラメータを決定するステップは、
前記第１の画素点の第１の調節方向及び第１の調節幅に基づいて、各第１の画素点の周辺の事前設定範囲内の各第２の画素点の第２の調節方向及び第２の調節幅を決定するステップを含み、
又は、
第２の画素点に最も近い第１の画素点の第１の調節方向及び第１の調節幅に基づいて、前記第２の画素点の第２の調節方向及び第２の調節幅を決定するステップを含むことを特徴とする請求項２−４のいずれか一項に記載の方法。
【請求項６】
前記第２の画素点の第２の調節幅は、前記第１の調節幅より小さく、前記第２の画素点と前記第１の画素点との間の距離である第１の基準距離と負の相関であることを特徴とする請求項２−５のいずれか一項に記載の方法。
【請求項７】
前記第３の画素点の第３の調節幅は、前記第１の調節幅より小さく、前記第３の画素点と前記第１の画素点との間の距離である第２の基準距離と負の相関であることを特徴とする請求項２−６のいずれか一項に記載の方法。
【請求項８】
前記第２の画素点と前記第１の画素点との間の距離が前記第３の画素点と前記第１の画素点との間の距離と等しい場合、前記第２の画素点の第２の調節幅が前記第３の画素点の第３の調節幅より小さいことを特徴とする請求項２−７のいずれか一項に記載の方法。
【請求項９】
前記複数の領域のうちの目標領域に対して、設定パラメータに基づいて、前記目標領域における複数の目標画素点の第１の調節パラメータを決定するステップは、
前記第１の調節方向が前記目標点に近接する方向である場合、前記第３の調節方向を前記目標点に近接する方向と決定するステップ、
前記第１の調節方向が前記目標点から離れる方向である場合、前記第３の調節方向を前記目標点から離れる方向と決定するステップの一方を含み、
前記目標領域に対して、前記第１の調節パラメータに基づいて、前記輪郭線外側における第２の画素点の第２の調節パラメータを決定するステップは、
前記第１の調節方向が前記目標点に近接する方向である場合、前記第２の調節方向を前記目標点に近接する方向と決定するステップ、
前記第１の調節方向が前記目標点から離れる方向である場合、前記第２の調節方向を前記目標点から離れる方向と決定するステップの一方を含むことを特徴とする請求項２−８のいずれか一項に記載の方法。
【請求項１０】
被処理画像を検出して、前記被処理画像における目標対象の輪郭線及び前記目標対象の複数の領域を決定するための検出モジュールと、
前記複数の領域のうちの目標領域に対して、設定パラメータに基づいて、前記目標領域における複数の目標画素点の第１の調節パラメータを決定するための第１の調節パラメータ決定モジュールであって、前記複数の目標画素点が、前記輪郭線にある第１の画素点及び前記輪郭線内側にある第３の画素点を含む第１の調節パラメータ決定モジュールと、
前記目標領域に対して、前記第１の調節パラメータに基づいて、前記輪郭線外側における第２の画素点の第２の調節パラメータを決定するための第２の調節パラメータ決定モジュールと、
前記第１の調節パラメータ及び前記第２の調節パラメータに基づいて、前記被処理画像に対して調節処理を行って、調節後の画像を取得するための画像処理モジュールと、を含むことを特徴とする画像処理装置。
【請求項１１】
前記第１の調節パラメータは、前記第１の画素点の第１の調節方向及び第１の調節幅、前記第３の画素点の第３の調節方向及び第３の調節幅を含み、前記第２の調節パラメータは、前記第２の画素点の第２の調節方向及び第２の調節幅を含むことを特徴とする請求項１０に記載の装置。
【請求項１２】
被処理画像を検出して、前記被処理画像における目標対象の目標点を取得するための目標点取得モジュールであって、前記目標点が、前記輪郭線内側又は前記輪郭線にあり、前記第１の画素点に対応する目標点取得モジュールを更に含み、
前記第１の画素点の第１の調節方向は、前記目標点に近接する方向、又は離れる方向を含むことを特徴とする請求項１１に記載の装置。
【請求項１３】
前記第１の調節パラメータ決定モジュールは、
前記設定パラメータ及び前記目標点に基づいて、前記第１の画素点の第１の調節方向及び第１の調節幅を決定するための第１の決定サブモジュールと、
前記第１の調節方向及び第１の調節幅に基づいて、各第１の画素点の周辺の事前設定範囲内の各第３の画素点の第３の調節方向及び第３の調節幅を決定するための第２の決定サブモジュールと、を含み、
又は、
前記設定パラメータ及び前記目標点に基づいて、各第１の画素点の第１の調節方向及び第１の調節幅を決定するための第３の決定サブモジュールと、
第３の画素点に最も近い第１の画素点の第１の調節方向及び第１の調節幅に基づいて、前記第３の画素点の第３の調節方向及び第３の調節幅を決定するための第４の決定サブモジュールと、を含むことを特徴とする請求項１１又は１２に記載の装置。
【請求項１４】
第２の調節パラメータ決定モジュールは、
前記第１の画素点の第１の調節方向及び第１の調節幅に基づいて、各第１の画素点の周辺の事前設定範囲内の各第２の画素点の第２の調節方向及び第２の調節幅を決定するための第５の決定サブモジュールを含み、
又は、
第２の画素点に最も近い第１の画素点の第１の調節方向及び第１の調節幅に基づいて、前記第２の画素点の第２の調節方向及び第２の調節幅を決定するための第６の決定サブモジュールを含むことを特徴とする請求項１４−１８のいずれか一項に記載の装置。
【請求項１５】
前記第２の画素点の第２の調節幅は、前記第１の調節幅より小さく、前記第２の画素点と前記第１の画素点との間の距離である第１の基準距離と負の相関であることを特徴とする請求項１１−１４のいずれか一項に記載の装置。
【請求項１６】
前記第３の画素点の第３の調節幅は、前記第１の調節幅より小さく、前記第３の画素点と前記第１の画素点との間の距離である第２の基準距離と負の相関であることを特徴とする請求項１１−１５のいずれか一項に記載の装置。
【請求項１７】
前記第２の画素点と前記第１の画素点との間の距離が前記第３の画素点と前記第１の画素点との間の距離と等しい場合、前記第２の画素点の第２の調節幅が前記第３の画素点の第３の調節幅より小さいことを特徴とする請求項１１−１６のいずれか一項に記載の装置。
【請求項１８】
第１の調節パラメータ決定モジュールは、
前記第１の調節方向が前記目標点に近接する方向である場合、前記第３の調節方向を前記目標点に近接する方向と決定するための第１の方向決定サブモジュール、
前記第１の調節方向が前記目標点から離れる方向である場合、前記第３の調節方向を前記目標点から離れる方向と決定するための第２の方向決定サブモジュールの一方を含み、
第２の調節パラメータ決定モジュールは、
前記第１の調節方向が前記目標点に近接する方向である場合、前記第２の調節方向を前記目標点に近接する方向と決定するための第３の方向決定サブモジュール、
前記第１の調節方向が前記目標点から離れる方向である場合、前記第２の調節方向を前記目標点から離れる方向と決定するための第４の方向決定サブモジュールの一方を含むことを特徴とする請求項１１−１７のいずれか一項に記載の装置。
【請求項１９】
請求項１−９のいずれか一項に記載の方法を実行するように構成されるプロセッサと、
プロセッサ実行可能コマンドを記憶するためのメモリと、を含むことを特徴とする電子機器。
【請求項２０】
コンピュータプログラムコマンドが記憶されているコンピュータ可読記憶媒体であって、前記コンピュータプログラムコマンドがプロセッサにより実行されると、請求項１−９のいずれか一項に記載の方法を実現することを特徴とするコンピュータ可読記憶媒体。
【手続補正２】
【補正対象書類名】明細書
【補正対象項目名】００３１
【補正方法】変更
【補正の内容】
【００３１】
本願の実施例に係る画像処理方法及び装置、電子機器並びに記憶媒体は、選定された目標領域の目標画素点の第１の調節パラメータによって、目標領域の輪郭線外側の背景領域における第２の画素点の第２の調節パラメータを決定し、第１の調節パラメータ及び第２の調節パラメータによって被処理画像を調節し、それによって目標領域を調節する時に背景領域を適応的に調節することができ、被処理画像における目標対象を調節する時に背景領域に与える影響が小さく、輪郭線内側の領域を調節する時の背景領域の奇形の発生が回避され、画像の背景領域は、変形が小さく、調節後の輪郭線内側の領域との繋がりがより自然になる。
例えば、本願は以下の項目を提供する。
（項目１）
被処理画像を検出して、前記被処理画像における目標対象の輪郭線及び前記目標対象の複数の領域を決定するステップと、
前記複数の領域のうちの目標領域に対して、設定パラメータに基づいて、前記目標領域における複数の目標画素点の第１の調節パラメータを決定するステップであって、前記複数の目標画素点が、前記輪郭線にある第１の画素点及び前記輪郭線内側にある第３の画素点を含むステップと、
前記目標領域に対して、前記第１の調節パラメータに基づいて、前記輪郭線外側における第２の画素点の第２の調節パラメータを決定するステップと、
前記第１の調節パラメータ及び前記第２の調節パラメータに基づいて、前記被処理画像に対して調節処理を行って、調節後の画像を取得するステップと、を含むことを特徴とする画像処理方法。
（項目２）
前記第１の調節パラメータは、前記第１の画素点の第１の調節方向及び第１の調節幅、前記第３の画素点の第３の調節方向及び第３の調節幅を含み、前記第２の調節パラメータは、前記第２の画素点の第２の調節方向及び第２の調節幅を含むことを特徴とする項目１に記載の方法。
（項目３）
被処理画像を検出して、前記被処理画像における目標対象の目標点を取得するステップであって、前記目標点が、前記輪郭線内側又は前記輪郭線にあり、前記第１の画素点に対応するステップを更に含み、
前記第１の画素点の第１の調節方向は、前記目標点に近接する方向、又は離れる方向を含むことを特徴とする項目２に記載の方法。
（項目４）
前記複数の領域のうちの目標領域に対して、設定パラメータに基づいて、前記目標領域における複数の目標画素点の第１の調節パラメータを決定するステップは、
前記設定パラメータ及び前記目標点に基づいて、前記第１の画素点の第１の調節方向及び第１の調節幅を決定するステップと、
前記第１の調節方向及び第１の調節幅に基づいて、各第１の画素点の周辺の事前設定範囲内の各第３の画素点の第３の調節方向及び第３の調節幅を決定するステップと、を含むことを特徴とする項目２又は３に記載の方法。
（項目５）
前記複数の領域のうちの目標領域に対して、設定パラメータに基づいて、前記目標領域における複数の目標画素点の第１の調節パラメータを決定するステップは、
前記設定パラメータ及び前記目標点に基づいて、各第１の画素点の第１の調節方向及び第１の調節幅を決定するステップと、
第３の画素点に最も近い第１の画素点の第１の調節方向及び第１の調節幅に基づいて、前記第３の画素点の第３の調節方向及び第３の調節幅を決定するステップと、を含むことを特徴とする項目２−４のいずれか一項に記載の方法。
（項目６）
前記目標領域に対して、前記第１の調節パラメータに基づいて、前記輪郭線外側における第２の画素点の第２の調節パラメータを決定するステップは、
前記第１の画素点の第１の調節方向及び第１の調節幅に基づいて、各第１の画素点の周辺の事前設定範囲内の各第２の画素点の第２の調節方向及び第２の調節幅を決定するステップを含むことを特徴とする項目２−５のいずれか一項に記載の方法。
（項目７）
前記目標領域に対して、前記第１の調節パラメータに基づいて、前記輪郭線外側における第２の画素点の第２の調節パラメータを決定するステップは、
第２の画素点に最も近い第１の画素点の第１の調節方向及び第１の調節幅に基づいて、前記第２の画素点の第２の調節方向及び第２の調節幅を決定するステップを含むことを特徴とする項目２−６のいずれか一項に記載の方法。
（項目８）
前記第２の画素点の第２の調節幅は、前記第１の調節幅より小さく、前記第２の画素点と前記第１の画素点との間の距離である第１の基準距離と負の相関であることを特徴とする項目２−７のいずれか一項に記載の方法。
（項目９）
前記第３の画素点の第３の調節幅は、前記第１の調節幅より小さく、前記第３の画素点と前記第１の画素点との間の距離である第２の基準距離と負の相関であることを特徴とする項目２−８のいずれか一項に記載の方法。
（項目１０）
前記第２の画素点と前記第１の画素点との間の距離が前記第３の画素点と前記第１の画素点との間の距離と等しい場合、前記第２の画素点の第２の調節幅が前記第３の画素点の第３の調節幅より小さいことを特徴とする項目２−９のいずれか一項に記載の方法。
（項目１１）
前記複数の領域のうちの目標領域に対して、設定パラメータに基づいて、前記目標領域における複数の目標画素点の第１の調節パラメータを決定するステップは、
前記第１の調節方向が前記目標点に近接する方向である場合、前記第３の調節方向を前記目標点に近接する方向と決定するステップ、
前記第１の調節方向が前記目標点から離れる方向である場合、前記第３の調節方向を前記目標点から離れる方向と決定するステップの一方を含むことを特徴とする項目２−１０のいずれか一項に記載の方法。
（項目１２）
前記目標領域に対して、前記第１の調節パラメータに基づいて、前記輪郭線外側における第２の画素点の第２の調節パラメータを決定するステップは、
前記第１の調節方向が前記目標点に近接する方向である場合、前記第２の調節方向を前記目標点に近接する方向と決定するステップ、
前記第１の調節方向が前記目標点から離れる方向である場合、前記第２の調節方向を前記目標点から離れる方向と決定するステップの一方を含むことを特徴とする項目２−１１のいずれか一項に記載の方法。
（項目１３）
被処理画像を検出して、前記被処理画像における目標対象の輪郭線及び前記目標対象の複数の領域を決定するための検出モジュールと、
前記複数の領域のうちの目標領域に対して、設定パラメータに基づいて、前記目標領域における複数の目標画素点の第１の調節パラメータを決定するための第１の調節パラメータ決定モジュールであって、前記複数の目標画素点が、前記輪郭線にある第１の画素点及び前記輪郭線内側にある第３の画素点を含む第１の調節パラメータ決定モジュールと、
前記目標領域に対して、前記第１の調節パラメータに基づいて、前記輪郭線外側における第２の画素点の第２の調節パラメータを決定するための第２の調節パラメータ決定モジュールと、
前記第１の調節パラメータ及び前記第２の調節パラメータに基づいて、前記被処理画像に対して調節処理を行って、調節後の画像を取得するための画像処理モジュールと、を含むことを特徴とする画像処理装置。
（項目１４）
前記第１の調節パラメータは、前記第１の画素点の第１の調節方向及び第１の調節幅、前記第３の画素点の第３の調節方向及び第３の調節幅を含み、前記第２の調節パラメータは、前記第２の画素点の第２の調節方向及び第２の調節幅を含むことを特徴とする項目１３に記載の装置。
（項目１５）
被処理画像を検出して、前記被処理画像における目標対象の目標点を取得するための目標点取得モジュールであって、前記目標点が、前記輪郭線内側又は前記輪郭線にあり、前記第１の画素点に対応する目標点取得モジュールを更に含み、
前記第１の画素点の第１の調節方向は、前記目標点に近接する方向、又は離れる方向を含むことを特徴とする項目１４に記載の装置。
（項目１６）
前記第１の調節パラメータ決定モジュールは、
前記設定パラメータ及び前記目標点に基づいて、前記第１の画素点の第１の調節方向及び第１の調節幅を決定するための第１の決定サブモジュールと、
前記第１の調節方向及び第１の調節幅に基づいて、各第１の画素点の周辺の事前設定範囲内の各第３の画素点の第３の調節方向及び第３の調節幅を決定するための第２の決定サブモジュールと、を含むことを特徴とする項目１４又は１５に記載の装置。
（項目１７）
前記第１の調節パラメータ決定モジュールは、
前記設定パラメータ及び前記目標点に基づいて、各第１の画素点の第１の調節方向及び第１の調節幅を決定するための第３の決定サブモジュールと、
第３の画素点に最も近い第１の画素点の第１の調節方向及び第１の調節幅に基づいて、前記第３の画素点の第３の調節方向及び第３の調節幅を決定するための第４の決定サブモジュールと、を含むことを特徴とする項目１４−１６のいずれか一項に記載の装置。
（項目１８）
第２の調節パラメータ決定モジュールは、
前記第１の画素点の第１の調節方向及び第１の調節幅に基づいて、各第１の画素点の周辺の事前設定範囲内の各第２の画素点の第２の調節方向及び第２の調節幅を決定するための第５の決定サブモジュールを含むことを特徴とする項目１４−１７のいずれか一項に記載の装置。
（項目１９）
第２の調節パラメータ決定モジュールは、
第２の画素点に最も近い第１の画素点の第１の調節方向及び第１の調節幅に基づいて、前記第２の画素点の第２の調節方向及び第２の調節幅を決定するための第６の決定サブモジュールを含むことを特徴とする項目１４−１８のいずれか一項に記載の装置。
（項目２０）
前記第２の画素点の第２の調節幅は、前記第１の調節幅より小さく、前記第２の画素点と前記第１の画素点との間の距離である第１の基準距離と負の相関であることを特徴とする項目１４−１９のいずれか一項に記載の装置。
（項目２１）
前記第３の画素点の第３の調節幅は、前記第１の調節幅より小さく、前記第３の画素点と前記第１の画素点との間の距離である第２の基準距離と負の相関であることを特徴とする項目１４−２０のいずれか一項に記載の装置。
（項目２２）
前記第２の画素点と前記第１の画素点との間の距離が前記第３の画素点と前記第１の画素点との間の距離と等しい場合、前記第２の画素点の第２の調節幅が前記第３の画素点の第３の調節幅より小さいことを特徴とする項目１４−２１のいずれか一項に記載の装置。
（項目２３）
第１の調節パラメータ決定モジュールは、
前記第１の調節方向が前記目標点に近接する方向である場合、前記第３の調節方向を前記目標点に近接する方向と決定するための第１の方向決定サブモジュール、
前記第１の調節方向が前記目標点から離れる方向である場合、前記第３の調節方向を前記目標点から離れる方向と決定するための第２の方向決定サブモジュールの一方を含むことを特徴とする項目１４−２２のいずれか一項に記載の装置。
（項目２４）
第２の調節パラメータ決定モジュールは、
前記第１の調節方向が前記目標点に近接する方向である場合、前記第２の調節方向を前記目標点に近接する方向と決定するための第３の方向決定サブモジュール、
前記第１の調節方向が前記目標点から離れる方向である場合、前記第２の調節方向を前記目標点から離れる方向と決定するための第４の方向決定サブモジュールの一方を含むことを特徴とする項目１４−２３のいずれか一項に記載の装置。
（項目２５）
項目１−１２のいずれか一項に記載の方法を実行するように構成されるプロセッサと、
プロセッサ実行可能コマンドを記憶するためのメモリと、を含むことを特徴とする電子機器。
（項目２６）
コンピュータプログラムコマンドが記憶されているコンピュータ可読記憶媒体であって、前記コンピュータプログラムコマンドがプロセッサにより実行されると、項目１−１２のいずれか一項に記載の方法を実現することを特徴とするコンピュータ可読記憶媒体。
【国際調査報告】
2021503663.tif 000017
2021503663.tif 000018
2021503663.tif 000019
2021503663.tif 000020